(57)【要約】  ワイヤレス通信のための方法、システム、およびデバイスが説明される。ユーザ機器（ＵＥ）および基地局は、狭帯域通信を確立し得る。基地局は、広帯域または狭帯域送信に少なくとも部分的に基づいて測位基準信号（ＰＲＳ）リソースを構成し得、ＵＥは、１つまたは複数の狭帯域領域上でＰＲＳ送信を受信し得る。ＵＥは、ＰＲＳリソースを決定し、システム帯域幅の１つまたは複数の狭帯域領域において送信される広帯域ＰＲＳ送信の部分を受信し得る。基地局は、例えば、広帯域ＰＲＳ送信のために使用され得る１シンボルにつき２ＰＲＳトーンに対して、１シンボルにつきシングルＰＲＳトーンで、または、狭帯域デバイスの帯域幅にしたがって、複数の狭帯域デバイスに対して別個にＰＲＳリソースを構成し得る。基地局は、ＵＥからのアップリンク送信のタイミングに少なくとも部分的に基づいてＵＥのための測位測定を実施し得る。【選択図】図２
2019505145.tif 000002
【特許請求の範囲】
【請求項１】
ワイヤレス通信のための方法であって、
狭帯域通信デバイスにおいて、測位基準信号（ＰＲＳ）リソースを識別することと、
狭帯域送信帯域幅内のＰＲＳリソースにおいて、複数のダウンリンクサブフレーム間の少なくとも１つのダウンリンクサブフレームにおける１つまたは複数のＰＲＳ送信を受信することと、を備える方法。
【請求項２】
前記１つまたは複数のＰＲＳ送信のＰＲＳ帯域幅は、前記狭帯域送信帯域幅とは異なり、ここにおいて、前記識別することは、
前記狭帯域送信帯域幅内の前記ＰＲＳリソースのリソースブロック（ＲＢ）インデックスとは異なる前記ＰＲＳ帯域幅内のＲＢインデックスを識別することと、
前記ＰＲＳ帯域幅内の前記ＲＢインデックスに少なくとも部分的に基づいてＰＲＳシーケンスを決定することと、を備える、請求項１に記載の方法。
【請求項３】
前記ＰＲＳ帯域幅は、前記１つまたは複数のＰＲＳ送信を送信する送信機の広帯域システム帯域幅より小さいかそれと同等であり、前記狭帯域送信帯域幅より大きい、請求項２に記載の方法。
【請求項４】
前記受信することは、
前記複数のダウンリンクサブフレームにおいて受信される他の信号のサンプリングより高いサンプリングレートで前記ＰＲＳリソースにおいて受信される信号をサンプリングすることを備える、請求項１に記載の方法。
【請求項５】
前記受信することは、
前記少なくとも１つのダウンリンクサブフレームにおける複数の狭帯域送信帯域幅において複数のリソースブロック（ＲＢ）を受信することと、
前記１つまたは複数のＰＲＳ送信に関連付けされた１つまたは複数の測位パラメータを決定するために前記複数のＲＢを順次処理することと、を備える、請求項１に記載の方法。
【請求項６】
前記１つまたは複数の測位パラメータは、２つ以上の送信機のＰＲＳ送信間の基準信号時間差（ＲＳＴＤ）測定のうちの１つまたは複数、前記ＰＲＳ送信のうちの１つまたは複数の基準信号強度インジケータ（ＲＳＳＩ）、または２つ以上の送信機のＰＲＳ送信間の到着の観測時間差（ＯＴＤＡ）、を含む、請求項５に記載の方法。
【請求項７】
前記識別することは、
少なくとも１つのダウンリンクサブフレーム、サブフレームのタイプに少なくとも部分的に基づいて前記１つまたは複数のＰＲＳ送信のサイクリックプレフィクス（ＣＰ）長を識別することをさらに備える、請求項１に記載の方法。
【請求項８】
前記ＣＰ長は、サブフレームの前記タイプがマルチメディアブロードキャストシングル周波数ネットワーク（ＭＢＳＦＮ）サブフレームである場合に、拡張ＣＰ長として識別される、請求項７に記載の方法。
【請求項９】
前記狭帯域送信帯域幅内の前記ＰＲＳリソースは、前記狭帯域送信帯域幅のシングルリソースブロック（ＲＢ）内のリソースを備える、請求項１に記載の方法。
【請求項１０】
前記ＰＲＳリソースは、
前記ＰＲＳ送信の１つまたは複数の送信機の広帯域システム帯域幅の外にあるスタンドアロン狭帯域送信帯域幅におけるワイヤレス送信リソース、または、
前記ＰＲＳ送信の１つまたは複数の送信機の前記広帯域システム帯域幅に隣接するガードバンド帯域幅におけるワイヤレス送信リソース、を備える、請求項９に記載の方法。
【請求項１１】
前記狭帯域送信帯域幅の前記シングルＲＢは、複数の送信機からのＰＲＳ送信またはセル固有の基準信号（ＣＲＳ）のうちの１つまたは複数を含まない、請求項９に記載の方法。
【請求項１２】
１つまたは複数のＰＲＳ送信を前記受信することは、
第２の基地局からのＰＲＳ送信を有する第２のＲＢと第１の基地局からのＰＲＳ送信を有する第１のＲＢとを受信することを備え、前記第１の基地局と前記第２の基地局とは、前記第１の基地局と前記第２の基地局との間のインターフェースを減じるために異なるＲＢにおいて関連付けされた前記ＰＲＳを送信する、請求項９に記載の方法。
【請求項１３】
前記狭帯域送信帯域幅内のＰＲＳ送信の周期性は、広帯域ＰＲＳ送信周期性に対して減じられる、請求項９に記載の方法。
【請求項１４】
ＰＲＳ送信を有する連続したダウンリンクサブフレームの数は、広帯域ＰＲＳ送信に対して増加される、請求項１に記載の方法。
【請求項１５】
前記シングルＲＢを送信する送信機以外の１つまたは複数の送信機は、前記シングルＲＢの前記送信の間の送信を弱める、請求項９に記載の方法。
【請求項１６】
前記シングルＲＢ内の前記ＰＲＳリソースは、前記シングルＲＢの第１乃至第３のシンボルのうちの１つまたは複数内のＰＲＳリソースを備える、請求項１０に記載の方法。
【請求項１７】
前記識別することは、
前記複数のダウンリンクサブフレームの第１のダウンリンクサブフレームにおける第１のＰＲＳ帯域幅を、前記ＰＲＳ送信を送信する１つまたは複数の送信機の広帯域システム帯域幅内にあるとして、識別することと、
前記複数のダウンリンクサブフレームの第２のダウンリンクサブフレームにおける第２のＰＲＳ帯域幅を、前記広帯域システム帯域幅のサブセット内にあるとして、識別することと、を備える、請求項１に記載の方法。
【請求項１８】
前記識別することは、
前記複数のダウンリンクサブフレームの第１のダウンリンクサブフレームにおける第１のＰＲＳ帯域幅を、前記ＰＲＳ送信を送信する１つまたは複数の送信機の広帯域システム帯域幅の第１のサブセット内にあるとして、識別することと、
前記複数のダウンリンクサブフレームの前記第１のダウンリンクサブフレームにおける第２のＰＲＳ帯域幅を、前記広帯域システム帯域幅の第２のサブセット内にあるとして、識別することと、を備える、請求項１に記載の方法。
【請求項１９】
前記狭帯域通信デバイスにおいて、１つまたは複数のダウンリンクチャネルのための前記狭帯域送信帯域幅内のワイヤレス送信リソースを識別することと、
１つまたは複数の送信機から１つまたは複数のダウンリンク信号を、前記１つまたは複数のダウンリンクチャネルにおいて、受信することと、
１つまたは複数のＰＲＳベースの測位パラメータに加えて、１つまたは複数の測位パラメータを決定するために前記１つまたは複数のダウンリンク信号を処理することと、をさらに備える、請求項１に記載の方法。
【請求項２０】
前記１つまたは複数のダウンリンク信号は、プライマリ同期信号（ＰＳＳ）、セカンダリ同期信号（ＳＳＳ）、物理ブロードキャストチャネル（ＰＢＣＨ）信号、または、システム情報ブロック（ＳＩＢ）信号のうちの１つまたは複数を備える、請求項１９に記載の方法。
【請求項２１】
前記処理することは、
電力遅延プロファイル（ＰＤＰ）を決定するために１つまたは複数のＰＲＳ送信との前記１つまたは複数のダウンリンク信号の非コヒーレント結合を備える、請求項１９に記載の方法。
【請求項２２】
前記処理することは、
前記１つまたは複数のダウンリンク信号に関連付けされた測定に少なくとも部分的に基づく、２つ以上のＰＲＳベースの測位パラメータの加重結合を備える、請求項１９に記載の方法。
【請求項２３】
前記１つまたは複数のＰＲＳ送信に関連付けされた第１の測定を決定することと、
１つまたは複数の他のダウンリンク信号に関連付けされた第２の測定を決定することと、
前記第１の測定と前記第２の測定とに少なくとも部分的に基づいて前記狭帯域通信デバイスの位置を推定することと、をさらに備える、請求項１９に記載の方法。
【請求項２４】
ワイヤレス通信のための方法であって：
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を備える方法。
【請求項２５】
前記狭帯域送信帯域幅は、広帯域送信帯域幅のサブセットである、請求項２４に記載の方法。
【請求項２６】
前記狭帯域送信帯域幅内の前記ＰＲＳリソースは、前記狭帯域送信帯域幅のシングルリソースブロック（ＲＢ）内のリソースを備える、請求項２４に記載の方法。
【請求項２７】
前記ＰＲＳリソースは、
広帯域システム帯域幅の外にあるスタンドアロン狭帯域送信帯域幅におけるワイヤレス送信リソース、または、
前記広帯域システム帯域幅に隣接するガードバンド帯域幅におけるワイヤレス送信リソース、を備える、請求項２６に記載の方法。
【請求項２８】
前記狭帯域送信帯域幅の前記シングルＲＢは、セル固有の基準信号（ＣＲＳ）を含まない、請求項２６に記載の方法。
【請求項２９】
前記シングルＲＢの前記送信の間に１つまたは複数の他の基地局の送信を弱めるために、前記１つまたは複数の他の基地局に合わせることをさらに備える、請求項２６に記載の方法。
【請求項３０】
ＰＲＳ送信を有する複数の連続したダウンリンクサブフレームは、広帯域ＰＲＳ送信に対して増加される、請求項２４に記載の方法。
【請求項３１】
前記シングルＲＢ内の前記ＰＲＳリソースは、前記シングルＲＢの第１乃至第３のシンボルのうちの１つまたは複数内のＰＲＳリソースを備える、請求項２７に記載の方法。
【請求項３２】
前記狭帯域送信帯域幅内のＰＲＳ送信の周期性は、広帯域ＰＲＳ送信周期性に対して減じられる、請求項２６に記載の方法。
【請求項３３】
ユーザ機器から前記ＰＲＳに関連付けされた第１の測定を受信することと、
前記ユーザ機器において受信された１つまたは複数の他のダウンリンクチャネル信号に関連付けされた第２の測定を受信することと、
前記第１の測定と前記第２の測定とに少なくとも部分的に基づいて前記ユーザ機器の位置を推定することと、をさらに備える、請求項２４に記載の方法。
【請求項３４】
前記１つまたは複数の他のダウンリンクチャネル信号は、プライマリ同期信号（ＰＳＳ）、セカンダリ同期信号（ＳＳＳ）、物理ブロードキャストチャネル（ＰＢＣＨ）信号、または、システム情報ブロック（ＳＩＢ）信号のうちの１つまたは複数を備える、請求項３３に記載の方法。
【請求項３５】
前記第２の測定は、前記ＰＲＳ送信との前記１つまたは複数の他のダウンリンクチャネル信号の非コヒーレント結合に少なくとも部分的に基づくパワー遅延プロファイル（ＰＤＰ）を備える、請求項３３に記載の方法。
【請求項３６】
ワイヤレス通信のための方法であって：
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を備える、方法。
【請求項３７】
前記２つ以上のシンボル内の前記シングルトーンを前記識別することは、
第１のシンボルのための第１のトーンホッピング値を識別することと、
前記第１のシンボルの第１のＰＲＳトーンロケーションおよび前記第１のトーンホッピング値に少なくとも部分的に基づいて第２のシンボルのための第２のＰＲＳトーンロケーションを識別することと、
前記第２のシンボルのための第２のトーンホッピング値を識別することと、
前記第２のＰＲＳトーンロケーションおよび前記第２のトーンホッピング値に少なくとも部分的に基づいて第３のシンボルのための第３のＰＲＳトーンロケーションを識別することと、を備える、請求項３６に記載の方法。
【請求項３８】
前記トーンホッピング値は、ＰＲＳトーンとして構成された連続したシンボル内の異なるトーンを識別する、請求項３６に記載の方法。
【請求項３９】
ワイヤレス通信のための方法であって：
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を備える、方法。
【請求項４０】
各シンボル内の前記シングルトーンを前記構成することは、
第１のシンボルのための第１のトーンホッピング値を構成することと、
前記第１のシンボルの第１のＰＲＳトーンロケーションおよび前記第１のトーンホッピング値に少なくとも部分的に基づいて第２のシンボルのための第２のＰＲＳトーンロケーションを構成することと、
前記第２のシンボルのための第２のトーンホッピング値を構成することと、
前記第２のＰＲＳトーンロケーションおよび前記第２のトーンホッピング値に少なくとも部分的に基づいて第３のシンボルのための第３のＰＲＳトーンロケーションを構成することと、を備える、請求項３９に記載の方法。
【請求項４１】
前記トーンホッピング値は、ＰＲＳトーンとして構成された連続したシンボル内の異なるトーンを識別する、請求項３９に記載の方法。
【請求項４２】
ワイヤレス通信のための方法であって：
第１の基地局から１つまたは複数のダウンリンク送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を備える、方法。
【請求項４３】
前記第１の基地局からタイミング調整を受信することと、
前記第１の基地局に第２のアップリンク送信を送信することと、をさらに備え、前記第２のアップリンク送信は、前記タイミング調整に少なくとも部分的に基づき、前記第１のＣＰ持続時間より少ない第２のＣＰ持続時間を有する第２のＣＰを含む、請求項４２に記載の方法。
【請求項４４】
前記第１のアップリンク送信は、物理ランダムアクセスチャネル（ＰＲＡＣＨ）と同様のフレーム構造を使用する、請求項４２に記載の方法。
【請求項４５】
前記第１のアップリンク送信は、物理アップリンク共有チャネル（ＰＵＳＣＨ）と同様のフレーム構造を使用する、請求項４２に記載の方法。
【請求項４６】
前記第１のアップリンク送信のためのリソースは、前記第１の基地局によってスケジューリングされる、請求項４２に記載の方法。
【請求項４７】
前記第１のアップリンク送信のためのリソースは、前記ユーザ機器によってランダムに選択される、請求項４２に記載の方法。
【請求項４８】
前記第１のアップリンク送信のための前記リソースは、時間および周波数リソースを含む、請求項４６に記載の方法。
【請求項４９】
前記第１のアップリンク送信のための前記リソースは、１つまたは複数の他の基地局において既知である、請求項４６に記載の方法。
【請求項５０】
１つまたは複数の基地局は、前記ユーザ機器から前記第１のアップリンク送信を受信する、請求項４２に記載の方法。
【請求項５１】
前記ユーザ機器の位置は、前記ユーザ機器からの前記第１のアップリンク送信の受信に少なくとも部分的に基づいて推定される、請求項４２に記載の方法。
【請求項５２】
ワイヤレス通信のための方法であって：
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を備える、方法。
【請求項５３】
２つ以上の他の基地局から前記ユーザ機器に関連付けされた複数のＲＴＤを、前記第１の基地局において、受信することと、
前記２つ以上の他の基地局の既知の位置および前記複数のＲＴＤに少なくとも部分的に基づいて前記ユーザ機器の位置を決定することと、をさらに備える、請求項５２に記載の方法。
【請求項５４】
前記ユーザ機器から１つまたは複数の測位基準信号（ＰＲＳ）ベースの測定を受信することをさらに備え、
ここにおいて、前記ユーザ機器の前記位置を前記決定することはさらに、前記ＰＲＳベースの測定に少なくとも部分的に基づく、請求項５３に記載の方法。
【請求項５５】
ワイヤレス通信のための装置であって、
狭帯域通信デバイスにおいて、測位基準信号（ＰＲＳ）リソースを識別するための手段と、
狭帯域送信帯域幅内のＰＲＳリソースにおいて、複数のダウンリンクサブフレーム間の少なくとも１つのダウンリンクサブフレームにおける１つまたは複数のＰＲＳ送信を受信するための手段と、を備える装置。
【請求項５６】
ワイヤレス通信のための装置であって、
広帯域または狭帯域送信帯域幅内の測位基準信号（ＰＲＳ）リソースを識別するための手段と、
前記識別されたＰＲＳリソースに少なくとも部分的に基づいてＰＲＳを生成するための手段と、
前記狭帯域送信帯域幅内の前記ＰＲＳリソースにおいて、複数のダウンリンクサブフレーム間の少なくとも１つのダウンリンクサブフレームにおける前記ＰＲＳを送信するための手段と、を備える装置。
【請求項５７】
ワイヤレス通信のための装置であって、
測位基準信号（ＰＲＳ）受信のためのダウンリンクサブフレームの複数のシンボルを識別するための手段と、
トーンホッピング値および各シンボルのシンボルロケーションに少なくとも部分的に基づいて前記複数のシンボルの２つ以上のシンボル内のＰＲＳトーンとして構成されるシングルトーンを識別するための手段と、
１つまたは複数のＰＲＳ送信を、前記識別されたＰＲＳトーンにおいて、受信するための手段と、を備える、装置。
【請求項５８】
ワイヤレス通信のための装置であって、
測位基準信号（ＰＲＳ）送信のためのダウンリンクサブフレームの複数のシンボルを構成するための手段と、
トーンホッピング値および各シンボルのシンボルロケーションに少なくとも部分的に基づいて各シンボル内のＰＲＳトーンとしてシングルトーンを、前記複数のシンボル内で、構成するための手段と、
前記複数のシンボルの前記構成されたトーンにおいて前記ＰＲＳを送信するための手段と、を備える、装置。
【請求項５９】
ワイヤレス通信のための装置であって、
第１の基地局から１つまたは複数のダウンリンク送信を、ユーザ機器において、受信するための手段と、
前記第１の基地局のための第１のダウンリンクタイミングを決定するための手段と、
前記第１のダウンリンクタイミングにアラインされ第１のサイクリックプレフィクス（ＣＰ）持続時間を有する第１のＣＰを含む第１のアップリンク送信を送信するための手段と、を備える、装置。
【請求項６０】
ワイヤレス通信のための装置であって、
ユーザ機器から第１のアップリンク送信を、第１の基地局において、受信するための手段と、前記第１のアップリンク送信は、前記ユーザ機器のダウンリンクタイミングにアラインされ第１のサイクリックプレフィクス（ＣＰ）持続時間を有する第１のＣＰを含む、
前記ユーザ機器による第２のアップリンク送信のためのタイミング調整を、前記ユーザ機器に送信するための手段と、
前記ユーザ機器から前記第２のアップリンク送信を受信するための手段と、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定するための手段と、を備える、装置。
【請求項６１】
ワイヤレス通信のための装置であって、
プロセッサと、
前記プロセッサと電子通信状態にあるメモリと、
前記メモリに記憶され、前記装置に、
狭帯域通信デバイスにおいて、測位基準信号（ＰＲＳ）リソースを識別することと、
狭帯域送信帯域幅内の前記ＰＲＳリソースにおいて、複数のダウンリンクサブフレーム間の少なくとも１つのダウンリンクサブフレームにおける１つまたは複数のＰＲＳ送信を受信することと、を行わせるように前記プロセッサによって実行可能である命令と、を備える装置。
【請求項６２】
ワイヤレス通信のための装置であって、
プロセッサと、
前記プロセッサと電子通信状態にあるメモリと、
前記メモリに記憶され、前記装置に、
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を行わせるように前記プロセッサによって実行可能である命令と、を備える装置。
【請求項６３】
ワイヤレス通信のための装置であって、
プロセッサと、
前記プロセッサと電子通信状態にあるメモリと、
前記メモリに記憶され、前記装置に、
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を行わせるように前記プロセッサによって実行可能である命令と、を備える、装置。
【請求項６４】
ワイヤレス通信のための装置であって、
プロセッサと、
前記プロセッサと電子通信状態にあるメモリと、
前記メモリに記憶され、前記装置に、
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を行わせるように前記プロセッサによって実行可能である命令と、を備える、装置。
【請求項６５】
ワイヤレス通信のための装置であって、
プロセッサと、
前記プロセッサと電子通信状態にあるメモリと、
前記メモリに記憶され、前記装置に、
第１の基地局から１つまたは複数のダウン送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を行わせるように前記プロセッサによって実行可能である命令と、を備える、装置。
【請求項６６】
ワイヤレス通信のための装置であって、
プロセッサと、
前記プロセッサと電子通信状態にあるメモリと、
前記メモリに記憶され、前記装置に、
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を行わせるように前記プロセッサによって実行可能である命令と、を備える、装置。
【請求項６７】
ワイヤレス通信のためのコードを記憶する非一時的コンピュータ可読媒体であって、前記コードは、
狭帯域通信デバイスにおいて、測位基準信号（ＰＲＳ）リソースを識別することと、
狭帯域送信帯域幅内のＰＲＳリソースにおいて、複数のダウンリンクサブフレーム間の少なくとも１つのダウンリンクサブフレームにおける１つまたは複数のＰＲＳ送信を受信することと、を実行可能である命令を備える、非一時的コンピュータ可読媒体。
【請求項６８】
ワイヤレス通信のためのコードを記憶する非一時的コンピュータ可読媒体であって、前記コードは、
広帯域または狭帯域送信帯域幅内の測位基準信号（ＰＲＳ）リソースを識別することと、
前記識別されたＰＲＳリソースに少なくとも部分的に基づいてＰＲＳを生成することと、
前記狭帯域送信帯域幅内の前記ＰＲＳリソースにおいて、複数のダウンリンクサブフレーム間の少なくとも１つのダウンリンクサブフレームにおける前記ＰＲＳを送信することと、を実行可能である命令を備える、非一時的コンピュータ可読媒体。
【請求項６９】
ワイヤレス通信のためのコードを記憶する非一時的コンピュータ可読媒体であって、前記コードは、
測位基準信号（ＰＲＳ）受信のためのダウンリンクサブフレームの複数のシンボルを識別することと、
トーンホッピング値および各シンボルのシンボルロケーションに少なくとも部分的に基づいて前記複数のシンボルの２つ以上のシンボル内のＰＲＳトーンとして構成されるシングルトーンを識別することと、
１つまたは複数のＰＲＳ送信を、前記識別されたＰＲＳトーンにおいて、受信することと、を実行可能である命令を備える、非一時的コンピュータ可読媒体。
【請求項７０】
ワイヤレス通信のためのコードを記憶する非一時的コンピュータ可読媒体であって、前記コードは、
測位基準信号（ＰＲＳ）送信のためのダウンリンクサブフレームの複数のシンボルを構成することと、
トーンホッピング値および各シンボルのシンボルロケーションに少なくとも部分的に基づいて各シンボル内のＰＲＳトーンとしてシングルトーンを、前記複数のシンボル内で、構成することと、
前記複数のシンボルの前記構成されたトーンにおいて前記ＰＲＳを送信することと、を実行可能である命令を備える、非一時的コンピュータ可読媒体。
【請求項７１】
ワイヤレス通信のためのコードを記憶する非一時的コンピュータ可読媒体であって、前記コードは、
第１の基地局から１つまたは複数のダウン送信を、ユーザ機器において、受信することと、
前記第１の基地局のための第１のダウンリンクタイミングを決定することと、
前記第１のダウンリンクタイミングにアラインされ第１のサイクリックプレフィクス（ＣＰ）持続時間を有する第１のＣＰを含む第１のアップリンク送信を送信することと、を実行可能である命令を備える、非一時的コンピュータ可読媒。
【請求項７２】
ワイヤレス通信のためのコードを記憶する非一時的コンピュータ可読媒体であって、前記コードは、
ユーザ機器から第１のアップリンク送信を、第１の基地局において、受信することと、前記第１のアップリンク送信は、前記ユーザ機器のダウンリンクタイミングにアラインされ、第１のサイクリックプレフィクス（ＣＰ）持続時間を有する第１のＣＰを含む、
前記ユーザ機器による第２のアップリンク送信のためのタイミング調整を、前記ユーザ機器に送信することと、
前記ユーザ機器から前記第２のアップリンク送信を受信することと、前記第２のアップリンク送信は、前記タイミング調整に少なくとも部分的に基づき、前記第１のＣＰ持続時間より少ない第２のＣＰ持続時間を有する第２のＣＰを含む、
前記第２のアップリンク送信の受信の時間に少なくとも部分的に基づいて、前記ユーザ機器での送信に関わるラウンドトリップ遅延（ＲＴＤ）を決定することと、を実行可能である命令を備える、非一時的コンピュータ可読媒体。
【発明の詳細な説明】
【関連出願の相互参照】
【０００１】
[0001]  本特許出願は、２０１７年２月３日に出願された「Positioning Signal Techniques for Narrowband Devices」と題する、Wang他による米国特許出願第１５／４２４，５１９号、および２０１６年２月１６日に出願された「Positioning Signal Techniques for Narrowband Devices」と題する、Wang他による米国仮特許出願第６２／２９６，０３７号の優先権を主張し、これらの各々は、本譲受人に譲渡されている。
【技術分野】
【０００２】
[0002]  以下は、ワイヤレス通信に関し、より具体的には、狭帯域デバイスのための測位信号に関する。
【背景技術】
【０００３】
[0003]  ワイヤレス通信システムは、音声、ビデオ、パケットデータ、メッセージング、ブロードキャストなどのさまざまなタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、各々が複数の通信デバイスのための通信を同時にサポートする複数の基地局を含み得、それらは別名ユーザ機器（ＵＥ）として知られ得る。
【０００４】
[0004]  いくつかの場合では、ＵＥは、ワイヤレス通信システムのシステム帯域幅の、狭サブバンド、または狭帯域領域において基地局と通信し得る、低コストまたは低い複雑度のマシンタイプ通信（ＭＴＣ）デバイスであり得る。このようなＵＥは、狭帯域デバイスと呼ばれ得る。基地局と狭帯域デバイスとの間の通信に利用可能な帯域幅が減じられることによって、基地局によって提供されるいくらかの周期的な信号が、送信の機会を減じ得、それが、何らかのＵＥの動作に影響を与え得る。例えば、基地局は、所定の時間期間インターバルで測位基準信号（ＰＲＳ）を送信し得、それは、ＵＥの正確な位置を決定するために使用され得る。ＵＥが全システム帯域幅を使用して通信可能である場合、ＰＲＳ送信は、システム帯域幅をカバーし得るまたはシステム帯域幅のいくらかの部分をカバーし得るＰＲＳ帯域幅にわたって提供され得る。しかしながら、狭帯域デバイスは、全ＰＲＳ帯域幅に満たない帯域幅を使用して通信可能である場合もあり、それは結果的に、狭帯域デバイスにおいて受信されるＰＲＳ送信を減じ、かくして位置決定のために使用され得るＰＲＳ測定（measurement）を減じ得る。
【０００５】
[0005]  狭帯域デバイスにおいてＰＲＳ測定が減じられると、ＵＥに関する位置決定を遅延させるか、ＵＥに提供する位置の精度を落とすか、その両方であり得る。したがって、狭帯域デバイスにおいてＰＲＳ測定を行う効率の向上が、比較的時間効率の良い方法でＵＥに関する比較的正確な位置を提供するために、望ましくあり得る。
【発明の概要】
【０００６】
[0006]  説明される技術は、狭帯域デバイスのための測位信号をサポートする改良された方法、システム、デバイス、または装置に関する。ＵＥおよび基地局は、基地局のシステム帯域幅の１つまたは複数の狭帯域領域を使用し得るキャリアにわたって通信リンクを確立し得る。基地局は、広帯域または狭帯域送信に少なくとも部分的に基づいて測位基準信号（ＰＲＳ）リソースを構成し得、ＵＥは、１つまたは複数の狭帯域領域にわたってＰＲＳ送信を受信し得る。ＵＥは、いくつかの例では、基地局の広帯域領域に少なくとも部分的に基づいて受信されたＰＲＳ送信のリソースブロック（ＲＢ）インデックスを決定し得、それは、ＰＲＳ送信を含む狭帯域ＲＢのＲＢインデックスとは異なり得る。いくつかの例では、基地局は、例えば、広帯域ＰＲＳ送信のために使用され得る１シンボルにつき２ＰＲＳトーンに対して、１シンボルにつきシングルＰＲＳトーンで、または、狭帯域デバイスの帯域幅にしたがって、複数の狭帯域デバイスに対して別個にＰＲＳリソースを構成し得る。
【０００７】
[0007]  測位をさらに改良するために、追加のダウンリンク信号は、例えば、同期信号または制御チャネル信号が、測位を支援するために使用され得る。ＵＥは、電力遅延プロファイル（ＰＤＰ）を決定するために、追加のダウンリンク信号およびＰＲＳの非コヒーレント結合を使用し得るか、ＰＲＳ測定ベースの、および他のダウンリンクチャネルパラメータからのタイミング結果の加重結合を使用し得る。さらなる例では、基地局は、狭帯域ＵＥから１つまたは複数のアップリンク信号を受信し得、測位測定を実施し、ＵＥから受信されたアップリンク信号に少なくとも部分的に基づいてＵＥ位置を決定し得る。
【０００８】
[0008]  ワイヤレス通信の方法が説明される。方法は、狭帯域通信デバイスにおいて、ＰＲＳリソースを識別することと、狭帯域送信帯域幅内のＰＲＳリソースにおいて、複数のダウンリンク（ＤＬ）サブフレーム間の少なくとも１つのＤＬサブフレームにおける１つまたは複数のＰＲＳ送信を受信することと、を含み得る。
【０００９】
[0090]  ワイヤレス通信のための装置が説明される。装置は、狭帯域通信デバイスにおいて、ＰＲＳリソースを識別するための手段と、狭帯域送信帯域幅内のＰＲＳリソースにおいて、複数のＤＬサブフレーム間の少なくとも１つのＤＬサブフレームにおける１つまたは複数のＰＲＳ送信を受信するための手段と、を含み得る。
【００１０】
[0010]  さらなる装置が説明される。装置は、プロセッサ、プロセッサと電子通信状態にあるメモリ、およびメモリに記憶された命令を含み得る。命令は、狭帯域通信デバイスにおいて、ＰＲＳリソースを識別することと、狭帯域送信帯域幅内のＰＲＳリソースにおいて、複数のＤＬサブフレーム間の少なくとも１つのＤＬサブフレームにおける１つまたは複数のＰＲＳ送信を受信することと、をプロセッサに行わせるように動作可能であり得る。
【００１１】
[0011]  ワイヤレス通信のための非一時的コンピュータ可読媒体が説明される。非一時的コンピュータ可読媒体は、狭帯域通信デバイスにおいて、ＰＲＳリソースを識別することと、狭帯域送信帯域幅内のＰＲＳリソースにおいて、ＤＬサブフレームのセット間の少なくとも１つのＤＬサブフレームにおける１つまたは複数のＰＲＳ送信を受信することと、をプロセッサに行わせるための命令を含み得る。
【００１２】
[0012]  上述された方法、装置、または非一時的コンピュータ可読媒体のいくつかの例では、１つまたは複数のＰＲＳ送信のＰＲＳ帯域幅は、狭帯域送信帯域幅とは異なり、識別することは、狭帯域送信帯域幅内のＰＲＳリソースのＲＢインデックスとは異なるＰＲＳ帯域幅内のＲＢインデックスを識別することを備える。上述された方法、装置、または非一時的コンピュータ可読媒体のいくつかの例は、ＰＲＳ帯域幅内のＲＢインデックスに少なくとも部分的に基づいてＰＲＳシーケンスを決定するためのプロセス、特徴、手段、または命令をさらに含み得る。
【００１３】
[0013]  上述された方法、装置、または非一時的コンピュータ可読媒体のいくつかの例では、ＰＲＳ帯域幅は、１つまたは複数のＰＲＳ送信を送信する送信機の広帯域システム帯域幅より小さいかそれと同等であり、且つ狭帯域送信帯域幅より大きい。
【００１４】
[0014]  上述された方法、装置、または非一時的コンピュータ可読媒体のいくつかの例では、受信することは、ＤＬサブフレームのセットにおいて受信される他の信号のサンプリングよりも高いサンプリングレートで、ＰＲＳリソースにおいて受信される信号をサンプリングすることを備える。
【００１５】
[0015]  上述された方法、装置、または非一時的コンピュータ可読媒体のいくつかの例では、受信することは、少なくとも１つのＤＬサブフレームにおける狭帯域送信帯域幅のセットにおいてＲＢのセットを受信することを備える。上述された方法、装置、または非一時的コンピュータ可読媒体のいくつかの例は、１つまたは複数のＰＲＳ送信に関連付けされた１つまたは複数の測位パラメータを決定するために、ＲＢのセットを順次処理するためのプロセス、特徴、手段、または命令をさらに含み得る。
【００１６】
[0016]  上述された方法、装置、または非一時的コンピュータ可読媒体のいくつかの例では、１つまたは複数の測位パラメータは、２つ以上の送信機のＰＲＳ送信間の基準信号時間差（ＲＳＴＤ）測定のうちの１つまたは複数、ＰＲＳ送信のうちの１つまたは複数の基準信号強度インジケータ（ＲＳＳＩ）、または２つ以上の送信機のＰＲＳ送信間の到着の観測時間差（ＯＴＤＡ）、を含む。
【００１７】
[0017]  上述された方法、装置、または非一時的コンピュータ可読媒体のいくつかの例では、識別することは、少なくとも１つのＤＬサブフレーム、サブフレームのタイプに少なくとも部分的に基づいて１つまたは複数のＰＲＳ送信のサイクリックプレフィクス（ＣＰ）長を識別することをさらに備える。上述された方法、装置、または非一時的コンピュータ可読媒体のいくつかの例では、ＣＰ長は、サブフレームのタイプがマルチメディアブロードキャストシングル周波数ネットワーク（ＭＢＳＦＮ）サブフレームである場合に、拡張ＣＰ長として識別される。
【００１８】
[0018]  上述された方法、装置、または非一時的コンピュータ可読媒体のいくつかの例では、狭帯域送信帯域幅内のＰＲＳリソースは、狭帯域送信帯域幅のシングルＲＢ内のリソースを備える。上述された方法、装置、または非一時的コンピュータ可読媒体のいくつかの例では、ＰＲＳリソースは、ＰＲＳ送信の１つまたは複数の送信機の広帯域システム帯域幅の外にあるスタンドアロン狭帯域送信帯域幅におけるワイヤレス送信リソース、または、ＰＲＳ送信の１つまたは複数の送信機の広帯域システム帯域幅に隣接するガードバンド帯域幅におけるワイヤレス送信リソース、を備える。
【００１９】
[0019]  上述された方法、装置、または非一時的コンピュータ可読媒体のいくつかの例では、狭帯域送信帯域幅のシングルＲＢは、複数の送信機からのＰＲＳ送信またはセル固有の基準信号（ＣＲＳ）のうちの１つまたは複数を含まない。
【００２０】
[0020]  上述された方法、装置、または非一時的コンピュータ可読媒体のいくつかの例では、１つまたは複数のＰＲＳ送信を受信することは、第２の基地局からのＰＲＳ送信を有する第２のＲＢと第１の基地局からのＰＲＳ送信を有する第１のＲＢとを受信することを備え、第１の基地局と第２の基地局とは、第１の基地局と第２の基地局との間のインターフェースを減じるために異なるＲＢにおいて関連付けされたＰＲＳを送信する。
【００２１】
[0021]  上述された方法、装置、または非一時的コンピュータ可読媒体のいくつかの例では、狭帯域送信帯域幅内のＰＲＳ送信の周期性は、広帯域ＰＲＳ送信周期性に対して減じられる。上述された方法、装置、または非一時的コンピュータ可読媒体のいくつかの例では、ＰＲＳ送信を有する連続したダウンリンクサブフレームの数は、広帯域ＰＲＳ送信に対して増加される。上述された方法、装置、または非一時的コンピュータ可読媒体のいくつかの例では、シングルＲＢを送信する送信機以外の１つまたは複数の送信機は、シングルＲＢの送信の間の送信を弱める。上述された方法、装置、または非一時的コンピュータ可読媒体のいくつかの例では、シングルＲＢ内のＰＲＳリソースは、シングルＲＢの第１乃至第３のシンボルのうちの１つまたは複数内のＰＲＳリソースを備える。
【００２２】
[0022]  上述された方法、装置、または非一時的コンピュータ可読媒体のいくつかの例では、識別することは、ＰＲＳ送信を送信する１つまたは複数の送信機の広帯域システム帯域幅内にあるとして、ＤＬサブフレームのセットの第１のＤＬサブフレームにおける第１のＰＲＳ帯域幅を識別することを備える。上述された方法、装置、または非一時的コンピュータ可読媒体のいくつかの例は、広帯域システム帯域幅のサブセット内にあるとして、ＤＬサブフレームのセットの第２のＤＬサブフレームにおける第２のＰＲＳ帯域幅を識別するためのプロセス、特徴、手段、または命令をさらに含み得る。
【００２３】
[0023]  上述された方法、装置、または非一時的コンピュータ可読媒体のいくつかの例では、識別することは、ＰＲＳ送信を送信する１つまたは複数の送信機の広帯域システム帯域幅の第１のサブセット内にあるとして、ＤＬサブフレームのセットの第１のＤＬサブフレームにおける第１のＰＲＳ帯域幅を識別することを備える。上述された方法、装置、または非一時的コンピュータ可読媒体のいくつかの例は、広帯域システム帯域幅の第２のサブセット内にあるとして、ＤＬサブフレームのセットの第１のＤＬサブフレームにおける第２のＰＲＳ帯域幅を識別するためのプロセス、特徴、手段、または命令をさらに含み得る。
【００２４】
[0024]  上述された方法、装置、または非一時的コンピュータ可読媒体のいくつかの例は、１つまたは複数のダウンリンクチャネルのための狭帯域送信帯域幅内のワイヤレス送信リソースを、狭帯域通信デバイスにおいて、識別するためのプロセス、特徴、手段、または命令をさらに含み得る。上述された方法、装置、または非一時的コンピュータ可読媒体のいくつかの例は、１つまたは複数の送信機から１つまたは複数の制御信号を、１つまたは複数のダウンリンクチャネルにおいて、受信するためのプロセス、特徴、手段、または命令をさらに含み得る。上述された方法、装置、または非一時的コンピュータ可読媒体のいくつかの例は、１つまたは複数のＰＲＳベースの測位パラメータに加えて、１つまたは複数の測位パラメータを決定するために１つまたは複数のダウンリンク信号を処理するためのプロセス、特徴、手段、または命令をさらに含み得る。
【００２５】
[0025]  上述された方法、装置、または非一時的コンピュータ可読媒体のいくつかの例では、１つまたは複数のダウンリンク信号は、プライマリ同期信号（ＰＳＳ）、セカンダリ同期信号（ＳＳＳ）、物理ブロードキャストチャネル（ＰＢＣＨ）信号、または、システム情報ブロック（ＳＩＢ）信号のうちの１つまたは複数を備える。上述された方法、装置、または非一時的コンピュータ可読媒体のいくつかの例では、処理することは、ＰＤＰを決定するために１つまたは複数のＰＲＳ送信との１つまたは複数の制御信号の非コヒーレント結合を備える。上述された方法、装置、または非一時的コンピュータ可読媒体のいくつかの例では、処理することは、１つまたは複数のダウンリンク信号に関連付けされた測定（measurement）に少なくとも部分的に基づく、２つ以上のＰＲＳベースの測位パラメータの加重結合（weighted combining）を備える。
【００２６】
[0026]  上述された方法、装置、または非一時的コンピュータ可読媒体のいくつかの例では、識別することは、１つまたは複数のＰＲＳ送信に関連付けされた第１の測定を決定することを備える。上述された方法、装置、または非一時的コンピュータ可読媒体のいくつかの例では、識別することは、１つまたは複数の他のダウンリンク信号に関連付けされた第２の測定を決定することを備える。上述された方法、装置、または非一時的コンピュータ可読媒体のいくつかの例では、識別することは、第１の測定および第２の測定に少なくとも部分的に基づいて狭帯域通信デバイスの位置を推定することを備える。
【００２７】
[0027]  ワイヤレス通信の方法が説明される。方法は、狭帯域送信帯域幅内のＰＲＳリソースを識別することと、識別されたＰＲＳリソースに少なくとも部分的に基づいてＰＲＳを生成することと、狭帯域送信帯域幅内のＰＲＳリソースにおいて、複数のＤＬサブフレーム間の少なくとも１つのＤＬサブフレームにおいてＰＲＳを送信することと、を含み得る。
【００２８】
[0028]  ワイヤレス通信のための装置が説明される。装置は、広帯域または狭帯域送信帯域幅内のＰＲＳリソースを識別するための手段と、識別されたＰＲＳリソースに少なくとも部分的に基づいてＰＲＳを生成するための手段と、狭帯域送信帯域幅内のＰＲＳリソースにおいて、複数のＤＬサブフレーム間の少なくとも１つのＤＬサブフレームにおいてＰＲＳを送信するための手段と、を含み得る。
【００２９】
[0029]  さらなる装置が説明される。装置は、プロセッサ、プロセッサと電子通信状態にあるメモリ、およびメモリに記憶された命令を含み得る。命令は、広帯域または狭帯域送信帯域幅内で、ＰＲＳリソースを識別することと、識別されたＰＲＳリソースに少なくとも部分的に基づいてＰＲＳを生成することと、狭帯域送信帯域幅内のＰＲＳリソースにおいて、複数のＤＬサブフレーム間の少なくとも１つのＤＬサブフレームにおいてＰＲＳを送信することと、をプロセッサに行わせるように動作可能であり得る。
【００３０】
[0030]  ワイヤレス通信のための非一時的コンピュータ可読媒体が説明される。非一時的コンピュータ可読媒体は、広帯域または狭帯域送信帯域幅内のＰＲＳリソースを識別することと、識別されたＰＲＳリソースに少なくとも部分的に基づいてＰＲＳを生成することと、狭帯域送信帯域幅内のＰＲＳリソースにおいて、ＤＬサブフレームのセット間の少なくとも１つのＤＬサブフレームにおいてＰＲＳを送信することと、をプロセッサに行わせるための命令を含み得る。
【００３１】
[0031]  上述された方法、装置、または非一時的コンピュータ可読媒体のいくつかの例では、狭帯域送信帯域幅は、広帯域送信帯域幅のサブセットである。上述された方法、装置、または非一時的コンピュータ可読媒体のいくつかの例では、狭帯域送信帯域幅内のＰＲＳリソースは、狭帯域送信帯域幅のシングルＲＢ内のリソースを備える。
【００３２】
[0032]  上述された方法、装置、または非一時的コンピュータ可読媒体のいくつかの例では、ＰＲＳリソースは、広帯域システム帯域幅の外にあるスタンドアロン狭帯域送信帯域幅におけるワイヤレス送信リソース、または、広帯域システム帯域幅に隣接するガードバンド帯域幅におけるワイヤレス送信リソースを備える。上述された方法、装置、または非一時的コンピュータ可読媒体のいくつかの例では、狭帯域送信帯域幅のシングルＲＢは、ＣＲＳを含まない。
【００３３】
[0033]  上述された方法、装置、または非一時的コンピュータ可読媒体のいくつかの例は、シングルＲＢの送信の間の１つまたは複数の他の基地局の送信を弱めるために１つまたは複数の基地局に合わせるためのプロセス、特徴、手段、または命令をさらに含み得る。上述された方法、装置、または非一時的コンピュータ可読媒体のいくつかの例では、ＰＲＳ送信を有する連続したダウンリンクサブフレームの数は、広帯域ＰＲＳ送信に対して増加される。上述された方法、装置、または非一時的コンピュータ可読媒体のいくつかの例では、シングルＲＢ内のＰＲＳリソースは、シングルＲＢの第１乃至第３のシンボルのうちの１つまたは複数内のＰＲＳリソースを備える。上述された方法、装置、または非一時的コンピュータ可読媒体のいくつかの例では、狭帯域送信帯域幅内のＰＲＳ送信の周期性は、広帯域ＰＲＳ送信周期性に対して減じられる。
【００３４】
[0034]  上述された方法、装置、または非一時的コンピュータ可読媒体のいくつかの例は、ＵＥからのＰＲＳに関連付けされた第１の測定を受信するためのプロセス、特徴、手段、または命令をさらに含み得る。上述された方法、装置、または非一時的コンピュータ可読媒体のいくつかの例は、ＵＥにおいて受信された１つまたは複数の他のダウンリンクチャネル信号に関連付けされた第２の測定を受信するためのプロセス、特徴、手段、または命令をさらに含み得る。上述された方法、装置、または非一時的コンピュータ可読媒体のいくつかの例は、第１の測定および第２の測定に少なくとも部分的に基づいてＵＥの位置を推定するためのプロセス、特徴、手段、または命令をさらに含み得る。
【００３５】
[0035]  上述された方法、装置、または非一時的コンピュータ可読媒体のいくつかの例では、１つまたは複数の他のダウンリンクチャネル信号は、ＰＳＳ、ＳＳＳ、ＰＢＣＨ信号、または、ＳＩＢ信号のうちの１つまたは複数を備える。上述された方法、装置、または非一時的コンピュータ可読媒体のいくつかの例では、第２の測定は、ＰＲＳ送信を有する１つまたは複数の他のダウンリンクチャネル信号の非コヒーレント結合に少なくとも部分的に基づくＰＤＰを備える。
【００３６】
[0036]  ワイヤレス通信の方法が説明される。方法は、ＰＲＳ受信のためのＤＬサブフレームの複数のシンボルを識別することと、トーンホッピング値および各シンボルのシンボルロケーションに少なくとも部分的に基づいて複数のシンボルの２つ以上のシンボル内のＰＲＳトーンとして構成されるシングルトーンを識別することと、１つまたは複数のＰＲＳ送信を、識別されたＰＲＳトーンにおいて、受信することと、を含み得る。
【００３７】
[0037]  ワイヤレス通信のための装置が説明される。装置は、ＰＲＳ受信のためのＤＬサブフレームの複数のシンボルを識別するための手段と、トーンホッピング値および各シンボルのシンボルロケーションに少なくとも部分的に基づいて複数のシンボルの２つ以上のシンボル内のＰＲＳトーンとして構成されるシングルトーンを識別するための手段と、１つまたは複数のＰＲＳ送信を、識別されたＰＲＳトーンにおいて、受信するための手段と、を含み得る。
【００３８】
[0038]  さらなる装置が説明される。装置は、プロセッサ、プロセッサと電子通信状態にあるメモリ、およびメモリに記憶された命令を含み得る。命令は、ＰＲＳ受信のためのＤＬサブフレームの複数のシンボルを識別することと、トーンホッピング値および各シンボルのシンボルロケーションに少なくとも部分的に基づいて複数のシンボルの２つ以上のシンボル内のＰＲＳトーンとして構成されるシングルトーンを識別することと、１つまたは複数のＰＲＳ送信を、識別されたＰＲＳトーンにおいて、受信することと、をプロセッサに行わせるように動作可能であり得る。
【００３９】
[0039]  ワイヤレス通信のための非一時的コンピュータ可読媒体が説明される。非一時的コンピュータ可読媒体は、ＰＲＳ受信のためのＤＬサブフレームのシンボルのセットを識別することと、トーンホッピング値および各シンボルのシンボルロケーションに少なくとも部分的に基づいてシンボルのセットの２つ以上のシンボル内のＰＲＳトーンとして構成されるシングルトーンを識別することと、１つまたは複数のＰＲＳ送信を、識別されたＰＲＳトーンにおいて、受信することと、をプロセッサに行わせるための命令を含み得る。
【００４０】
[0040]  上述された方法、装置、または非一時的コンピュータ可読媒体のいくつかの例では、２つ以上のシンボル内のシングルトーンを識別することは、第１のシンボルのための第１のトーンホッピング値を識別することを備える。上述された方法、装置、または非一時的コンピュータ可読媒体のいくつかの例は、第１のシンボルの第１のＰＲＳトーンロケーションおよび第１のトーンホッピング値に少なくとも部分的に基づいて第２のシンボルのための第２のＰＲＳトーンロケーションを識別するためのプロセス、特徴、手段、または命令をさらに含み得る。上述された方法、装置、または非一時的コンピュータ可読媒体のいくつかの例は、第２のシンボルのための第２のトーンホッピング値を識別するためのプロセス、特徴、手段、または命令をさらに含み得る。上述された方法、装置、または非一時的コンピュータ可読媒体のいくつかの例は、第２のトーンロケーションと第２のトーンホッピング値に少なくとも部分的に基づいて第３のシンボルのための第３のＰＲＳトーンロケーションを識別するためのプロセス、特徴、手段、または命令をさらに含み得る。
【００４１】
[0041]  上述された方法、装置、または非一時的コンピュータ可読媒体のいくつかの例では、トーンホッピング値は、ＰＲＳトーンとして構成された連続したシンボル内の異なるトーンを識別する。
【００４２】
[0042]  ワイヤレス通信の方法が説明される。方法は、ＰＲＳ送信のためのＤＬサブフレームの複数のシンボルを構成することと、トーンホッピング値および各シンボルのシンボルロケーションに少なくとも部分的に基づいて各シンボル内のＰＲＳトーンとしてシングルトーンを、複数のシンボル内で、構成することと、複数のシンボルの構成されたトーンにおいてＰＲＳを送信することと、を含み得る。
【００４３】
[0043]  ワイヤレス通信のための装置が説明される。装置は、ＰＲＳ送信のためのＤＬサブフレームの複数のシンボルを構成するための手段と、トーンホッピング値および各シンボルのシンボルロケーションに少なくとも部分的に基づいて各シンボル内のＰＲＳトーンとしてシングルトーンを、複数のシンボル内で、構成するための手段と、複数のシンボルの構成されたトーンにおいてＰＲＳを送信するための手段と、を含み得る。
【００４４】
[0044]  さらなる装置が説明される。装置は、プロセッサ、プロセッサと電子通信状態にあるメモリ、およびメモリに記憶された命令を含み得る。命令は、ＰＲＳ送信のためのＤＬサブフレームの複数のシンボルを構成することと、トーンホッピング値および各シンボルのシンボルロケーションに少なくとも部分的に基づいて各シンボル内のＰＲＳトーンとしてシングルトーンを、複数のシンボル内で、構成することと、複数のシンボルの構成されたトーンにおいてＰＲＳを送信することと、をプロセッサに行わせるように動作可能であり得る。
【００４５】
[0045]  ワイヤレス通信のための非一時的コンピュータ可読媒体が説明される。非一時的コンピュータ可読媒体は、ＰＲＳ送信のためのＤＬサブフレームのシンボルのセットを構成することと、トーンホッピング値および各シンボルのシンボルロケーションに少なくとも部分的に基づいて各シンボル内のＰＲＳトーンとしてシングルトーンを、シンボルのセット内で、構成することと、シンボルのセットの構成されたトーンにおいてＰＲＳを送信することと、をプロセッサに行わせるための命令を含み得る。
【００４６】
[0046]  上述された方法、装置、または非一時的コンピュータ可読媒体のいくつかの例では、各シンボル内のシングルトーンを構成することは、第１のシンボルのための第１のトーンホッピング値を構成することを備える。上述された方法、装置、または非一時的コンピュータ可読媒体のいくつかの例は、第１のシンボルの第１のＰＲＳトーンロケーションおよび第１のトーンホッピング値に少なくとも部分的に基づいて第２のシンボルのための第２のＰＲＳトーンロケーションを構成するためのプロセス、特徴、手段、または命令をさらに含み得る。上述された方法、装置、または非一時的コンピュータ可読媒体のいくつかの例は、第２のシンボルのための第２のトーンホッピング値を構成するためのプロセス、特徴、手段、または命令をさらに含み得る。上述された方法、装置、または非一時的コンピュータ可読媒体のいくつかの例は、第２のＰＲＳトーンロケーションおよび第２のトーンホッピング値に少なくとも部分的に基づいて第３のシンボルのための第３のＰＲＳトーンロケーションを構成するためのプロセス、特徴、手段、または命令をさらに含み得る。
【００４７】
[0047]  上述された方法、装置、または非一時的コンピュータ可読媒体のいくつかの例では、トーンホッピング値は、ＰＲＳトーンとして構成された連続したシンボル内の異なるトーンを識別する。
【００４８】
[0048]  ワイヤレス通信の方法が説明される。方法は、第１の基地局から１つまたは複数のＤＬ送信を、ＵＥにおいて、受信することと、第１の基地局のための第１のＤＬタイミングを決定することと、第１のＤＬタイミングにアラインされ（aligned）第１のＣＰ持続時間を有する第１のＣＰを含む第１のアップリンク（ＵＬ）送信を送信することと、第１の基地局からタイミング調整を受信することと、第１の基地局に第２のＵＬ送信を送信することと、を含み得、第２のＵＬ送信は、タイミング調整に少なくとも部分的に基づき、第１のＣＰ持続時間より少ない第２のＣＰ持続時間を有する第２のＣＰを含む。
【００４９】
[0049]  ワイヤレス通信のための装置が説明される。装置は、第１の基地局から１つまたは複数のＤＬ送信を、ＵＥにおいて、受信するための手段と、第１の基地局のための第１のＤＬタイミングを決定するための手段と、第１のＤＬタイミングにアラインされ第１のＣＰ持続時間を有する第１のＣＰを含む第１のＵＬ送信を送信するための手段と、第１の基地局からタイミング調整を受信するための手段と、第１の基地局に第２のＵＬ送信を送信するための手段と、を含み得、第２のＵＬ送信は、タイミング調整に少なくとも部分的に基づき、第１のＣＰ持続時間より少ない第２のＣＰ持続時間を有する第２のＣＰを含む。
【００５０】
[0050]  さらなる装置が説明される。装置は、プロセッサ、プロセッサと電子通信状態にあるメモリ、およびメモリに記憶された命令を含み得る。命令は、第１の基地局から１つまたは複数のＤＬ送信を、ＵＥにおいて、受信することと、第１の基地局のための第１のＤＬタイミングを決定することと、第１のＤＬタイミングにアラインされ第１のＣＰ持続時間を有する第１のＣＰを含む第１のＵＬ送信を送信することと、第１の基地局からタイミング調整を受信することと、第１の基地局に第２のＵＬ送信を送信することと、をプロセッサに行わせるように動作可能であり得、第２のＵＬ送信は、タイミング調整に少なくとも部分的に基づき、第１のＣＰ持続時間より少ない第２のＣＰ持続時間を有する第２のＣＰを含む。
【００５１】
[0051]  ワイヤレス通信のための非一時的コンピュータ可読媒体が説明される。非一時的なコンピュータ可読媒体は、第１の基地局から１つまたは複数のＤＬ送信を、ＵＥにおいて、受信することと、第１の基地局のための第１のＤＬタイミングを決定することと、第１のＤＬタイミングにアラインされ第１のＣＰ持続時間を有する第１のＣＰを含む第１のＵＬ送信を送信することと、第１の基地局からタイミング調整を受信することと、第１の基地局に第２のＵＬ送信を送信することと、をプロセッサに行わせるための命令を含み得、第２のＵＬ送信は、タイミング調整に少なくとも部分的に基づき、第１のＣＰ持続時間より少ない第２のＣＰ持続時間を有する第２のＣＰを含む。
【００５２】
[0052]  上述の方法、装置、または非一時的コンピュータ可読媒体のいくつかの例では、第１のアップリンク送信は、物理ランダムアクセスチャネル（ＰＲＡＣＨ）と同様のフレーム構造を使用する。上述の方法、装置、または非一時的コンピュータ可読媒体のいくつかの例では、第１のアップリンク送信は、物理アップリンク共有チャネル（ＰＵＳＣＨ）と同様のフレーム構造を使用する。上述の方法、装置、または非一時的コンピュータ可読媒体のいくつかの例では、第１のアップリンク送信のためのリソースは、第１の基地局によってスケジューリングされる。上述の方法、装置、または非一時的コンピュータ可読媒体のいくつかの例では、第１のアップリンク送信のためのリソースは、ユーザ機器によってランダムに選択され得る。上述された方法、装置、または非一時的コンピュータ可読媒体のいくつかの例では、リソースは、時間および周波数リソースを含む。上述の方法、装置、または非一時的コンピュータ可読媒体のいくつかの例では、第１のアップリンク送信のために使用されるリソースは、１つまたは複数の他の基地局において既知である。上述の方法、装置、または非一時的コンピュータ可読媒体のいくつかの例では、１つまたは複数の基地局は、ユーザ装置から第１のアップリンク送信を受信する。上述の方法、装置、または非一時的コンピュータ可読媒体のいくつかの例では、ユーザ機器の位置は、ユーザ機器からの第１のアップリンク送信の受信に少なくとも部分的に基づいて推定される。
【００５３】
[0053]  ワイヤレス通信の方法が説明される。方法は、第１の基地局において、ＵＥから第１のＵＬ送信を受信することと、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信することと、ＵＥから第２のＵＬ送信を受信することと、第２のＵＬ送信は、タイミング調整に少なくとも部分的に基づき、第１のＣＰ持続時間より少ない第２のＣＰ持続時間を有する第２のＣＰを含む、および、第２のＵＬ送信の受信の時間に少なくとも部分的に基づいてＵＥでの送信に関わるラウンドトリップ遅延（ＲＴＤ）を決定することと、を含み得る。
【００５４】
[0054]  ワイヤレス通信のための装置が説明される。装置は、第１の基地局において、ＵＥから第１のＵＬ送信を受信するための手段と、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信するための手段と、ＵＥから第２のＵＬ送信を受信するための手段と、第２のＵＬ送信は、タイミング調整に少なくとも部分的に基づき第１のＣＰ持続時間より少ない第２のＣＰ持続時間を有する第２のＣＰを含む、および、第２のＵＬ送信の受信の時間に少なくとも部分的に基づいてＵＥでの送信に関わるＲＴＤを決定するための手段と、を含み得る。
【００５５】
[0055]  さらなる装置が説明される。装置は、プロセッサ、プロセッサと電子通信状態にあるメモリ、およびメモリに記憶された命令を含み得る。命令は、第１の基地局において、ＵＥから第１のＵＬ送信を受信することと、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信することと、ＵＥから第２のＵＬ送信を受信することと、第２のＵＬ送信は、タイミング調整に少なくとも部分的に基づき第１のＣＰ持続時間より少ない第２のＣＰ持続時間を有する第２のＣＰを含む、および、第２のＵＬ送信の受信の時間に少なくとも部分的に基づいてＵＥでの送信に関わるＲＴＤを決定することと、をプロセッサに行わせるように動作可能であり得る。
【００５６】
[0056]  ワイヤレス通信のための非一時的コンピュータ可読媒体が説明される。非一時的コンピュータ可読媒体は、第１の基地局において、ＵＥから第１のＵＬ送信を受信することと、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信することと、ＵＥから第２のＵＬ送信を受信することと、第２のＵＬ送信は、タイミング調整に少なくとも部分的に基づき第１のＣＰ持続時間より少ない第２のＣＰ持続時間を有する第２のＣＰを含む、および、第２のＵＬ送信の受信の時間に少なくとも部分的に基づいてＵＥでの送信に関わるＲＴＤを決定することと、をプロセッサに行わせるための命令を含み得る。
【００５７】
[0057]  上述された方法、装置、または非一時的コンピュータ可読媒体のいくつかの例は、２つ以上の他の基地局からＵＥに関連付けられたＲＴＤのセットを、第１の基地局において、受信するためのプロセス、特徴、手段、または命令をさらに含み得る。上述された方法、装置、または非一時的コンピュータ可読媒体のいくつかの例は、２つ以上の他の基地局の既知の位置およびＲＴＤのセットに少なくとも部分的に基づいてＵＥの位置を決定するためのプロセス、特徴、手段、または命令をさらに含み得る。
【００５８】
[0058]  上述された方法、装置、または非一時的コンピュータ可読媒体のいくつかの例は、ＵＥから１つまたは複数のＰＲＳベースの測定を受信するためのプロセス、特徴、手段、または命令をさらに含み得、ＵＥの位置を決定することは、ＰＲＳベースの測定にさらに少なくとも部分的に基づく。
【００５９】
[0059]  前述は、以下の詳細な説明がより良く理解され得るように、本開示にしたがった例の特徴および技術的利点をやや広く概説している。さらなる特徴および利点が以下に説明される。開示される概念および具体的な例は、本開示と同じ目的を実行するために、他の構造を変更または設計するための基礎として容易に利用され得る。そのような等価の構造は、添付された特許請求の範囲の精神および範囲から逸脱しない。本書に開示される概念の特質であると考えられる特徴は、関連する利点とともに、それらの編成および動作の方法の両方に関して、添付の図に関連して検討されたときに以下の説明からより良く理解されるであろう。図の各々は、例示および説明のみを目的として提供されており、特許請求の範囲の限定の定義としては提供されない。
[0060]  本開示の本質および利点のさらなる理解は、以下の図面を参照することによって実現され得る。添付の図面において、同様のコンポーネントまたは機能は、同じ参照ラベルを有し得る。さらに、または代替として、同じタイプのさまざまなコンポーネントは、参照ラベルに、ダッシュと、同様のコンポーネント間を区別する第２のラベルとを後続させることによって区別され得る。本明細書において第１の参照ラベルのみが使用される場合、第２の参照ラベルに関係なく同じ第１の参照ラベルを有する同様のコンポーネントのいずれか１つに、説明が適用可能である。
【図面の簡単な説明】
【００６０】
【図１】[0061]  図１は、本開示の態様にしたがって狭帯域デバイスのための測位信号をサポートするワイヤレス通信システムの例を例示する。
【図２】[0062]  図２は、本開示の態様にしたがって狭帯域デバイスのための測位信号をサポートするワイヤレス通信システムの例を例示する。
【図３】[0063]  図３Ａ乃至図３Ｂは、本開示の態様にしたがって、狭帯域デバイスのための測位基準信号（ＰＲＳ）送信のためのワイヤレスリソースの例を例示する。
【図４Ａ】[0064]  図４Ａは、本開示の態様にしたがって狭帯域デバイスのための測位信号をサポートするシステム帯域幅内のワイヤレスリソースの例を例示する。
【図４Ｂ】図４Ｂは、本開示の態様にしたがって狭帯域デバイスのための測位信号をサポートするシステム帯域幅内のワイヤレスリソースの例を例示する。
【図５】[0065]  図５は、本開示の態様にしたがって狭帯域デバイスのための、１シンボルにつきシングルトーンでの（in a single tone per symbol）ＰＲＳリソースの例を例示する。
【図６】[0066]    図６は、本開示の態様にしたがって狭帯域デバイスのための、測位信号をサポートするシステムにおけるプロセスフローの例を例示する。
【図７】[0067]  図７は、本開示の態様にしたがって狭帯域デバイスのための測位信号をサポートするワイヤレスデバイスのブロック図を示す。
【図８】図８は、本開示の態様にしたがって狭帯域デバイスのための測位信号をサポートするワイヤレスデバイスのブロック図を示す。
【図９】図９は、本開示の態様にしたがって狭帯域デバイスのための測位信号をサポートするワイヤレスデバイスのブロック図を示す。
【図１０】[0068]  図１０は、本開示の態様にしたがって狭帯域デバイスのための測位信号をサポートするＵＥを含むシステムのブロック図を例示する。
【図１１】[0069]  図１１は、本開示の態様にしたがって狭帯域デバイスのための測位信号をサポートするワイヤレスデバイスのブロック図を示す。
【図１２】図１２は、本開示の態様にしたがって狭帯域デバイスのための測位信号をサポートするワイヤレスデバイスのブロック図を示す。
【図１３】図１３は、本開示の態様にしたがって狭帯域デバイスのための測位信号をサポートするワイヤレスデバイスのブロック図を示す。
【図１４】[0070]  図１４は、本開示の態様にしたがって狭帯域デバイスのための測位信号をサポートする基地局を含むシステムのブロック図を例示する。
【図１５】[0071]  図１５は、本開示の態様にしたがって狭帯域デバイスのための測位信号のための方法を例示する。
【図１６】図１６は、本開示の態様にしたがって狭帯域デバイスのための測位信号のための方法を例示する。
【図１７】図１７は、本開示の態様にしたがって狭帯域デバイスのための測位信号のための方法を例示する。
【図１８】図１８は、本開示の態様にしたがって狭帯域デバイスのための測位信号のための方法を例示する。
【図１９】図１９は、本開示の態様にしたがって狭帯域デバイスのための測位信号のための方法を例示する。
【図２０】図２０は、本開示の態様にしたがって狭帯域デバイスのための測位信号のための方法を例示する。
【図２１】図２１は、本開示の態様にしたがって狭帯域デバイスのための測位信号のための方法を例示する。
【図２２】図２２は、本開示の態様にしたがって狭帯域デバイスのための測位信号のための方法を例示する。
【発明を実施するための形態】
【００６１】
[0072]  本開示のさまざまな態様は、システム帯域幅の狭帯域部分を使用して動作するユーザ機器（ＵＥ）に対してＵＥの位置の決定を支援し得る技術を提供する。このような位置決定は、ＵＥと基地局との間で送信される１つまたは複数の信号、例えば、測位基準信号（ＰＲＳ）を含み得る１つまたは複数のダウンリンク信号、または他のダウンリンク信号（例えば、同期信号、物理ブロードキャストチャネル（ＰＢＣＨ）信号、システム情報ブロック（ＳＩＢ）など）、を使用して為され得る。ＵＥは、受信された信号、いくつか例を挙げると、到着の観測時間差（ＯＴＤＡ）測定、受信信号強度インジケータ（ＲＳＳＩ）測定、または、基準信号時間差（ＲＳＴＤ）測定などに、少なくとも部分的に基づいて測定を行い得る。ＵＥ測定は、ＵＥの位置を決定するために１つまたは複数の基地局の既知のロケーションと併せて使用され得る。
【００６２】
[0073]  例えば、基地局、ＵＥ、または他の装置は、（例えば、知られていないロケーションにおけるＵＥから）知られていないロケーションに関連付けられたＲＳＴＤ、ＲＳＳＩ、ＯＴＤＡ、他の測定、またはこれらの組み合わせ、などの測位測定を識別し、知られていないロケーションに関連付けられた測位測定に少なくとも部分的に基づいて知られていないロケーションの位置、およびデータベースに記憶されている既知のロケーションに関わる測定のセットを推定し得る。ある例では、基地局、ＵＥ、または他のデバイスは、知られていないロケーションの位置を推定するために、知られていないロケーションに関連付けられた識別された測位測定に類似し得る（既知のロケーションに関わる）測定のセットから１つまたは複数の測位測定を決定し得る。
【００６３】
[0074]  上記に示されたように、いくつかのワイヤレスシステムは、ＭＴＣデバイスまたは狭帯域デバイスとして知られる低コストまたは低複雑度ＵＥのカテゴリのためのサービスを提供し得る。これらのデバイスは、いくらかの制約ともなって通信し得、それは、物理的制限に少なくとも部分的に基づき得、またそれは、より低いデータレート、限定されたトランスポートブロックサイズ、半二重動作、または弛緩した切り替え時間を含み得る。低コスト、または低複雑度のデバイスは、さらにまたは代替として、カバレッジエンハンスメントが提供され、またはそれによってサポートされ、それは、広帯域キャリアの狭帯域領域内で動作するように構成され得る。いくつかの場合では、キャリアは、種々のデバイスにサービスする複数の狭帯域領域に分割され得る。このような狭帯域デバイスの減じられた帯域幅は、狭帯域デバイスのためのＰＲＳ送信機会の数が減じられることにより、ＰＲＳ送信に少なくとも部分的に基づいて為され得る位置決定に課題を呈し得る。ＰＲＳ送信機会の数がこのように減じられることは、狭帯域デバイスに利用可能な帯域幅が減じられること、このようなデバイスのためのカバレッジエンハンスメント技術（例えば、比較的長いバンドリングは、さらにまたは代替としてＰＲＳに利用可能な時間リソースを制限し得る）、および／または、比較的長いラウンドトリップ遅延（ＲＴＤ）およびＲＴＤ測定の精度の低下をもたらし得る比較的大きいセル半径（例えば、３５ｋｍのセル半径）、に起因し得る。
【００６４】
[0075]  いくつかの例では、ＵＥは、ＰＲＳ測定に関わるシステム帯域幅の狭帯域部分において受信される広帯域ＰＲＳ送信を使用し得る。いくつかの例では、ＵＥは、基地局の広帯域領域に少なくとも部分的に基づいて受信されたＰＲＳ送信のリソースブロック（ＲＢ）インデックスを決定し得、それは、ＰＲＳ送信を含む狭帯域ＲＢのＲＢインデックスとは異なり得る。いくつかの例では、基地局は、例えば、広帯域ＰＲＳ送信のために使用され得る１シンボルにつき２ＰＲＳトーンに対して、１シンボルにつきシングルＰＲＳトーンで、または、狭帯域デバイスの帯域幅にしたがって、複数の狭帯域デバイスのために別個にＰＲＳリソースを構成し得る。このような別個に構成されたＰＲＳリソースは、単独で、または、他の広帯域ＰＲＳリソースあるいは測位測定のための他のダウンリンク信号と併せて、使用され得る。
【００６５】
[0076]  いくつかの例では、さらにまたは代替として測位を改良するために、追加のダウンリンク信号は、例えば、同期信号または制御チャネル信号などが、測位を支援するために使用され得る。ＵＥは、電力遅延プロファイル（ＰＤＰ）を決定するために、追加のダウンリンク信号およびＰＲＳの非コヒーレント結合を使用し得るか、ＰＲＳ測定ベースの、および他のダウンリンクチャネルパラメータからのタイミング結果の加重結合を使用し得る。さらなる例では、基地局は、狭帯域ＵＥから１つまたは複数のアップリンク信号を受信し得、測位測定を実施し、ＵＥから受信されたアップリンク信号に少なくとも部分的に基づいてＵＥ位置を決定し得る。
【００６６】
[0077]  本開示の態様が、最初に、ワイヤレス通信システムのコンテキストで以下に説明される。狭帯域デバイスのための測位リソースおよび技術に関わる特定の例が、次に説明される。本開示のこれらの態様、および他の態様は、さらに、狭帯域デバイスのための測位信号に関する装置の図、システムの図、およびフローチャートによって例示され、それらを参照して説明される。
【００６７】
[0078]  図１は、本開示のさまざまな態様にしたがって、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ（登録商標））／ＬＴＥ−アドバンスド（ＬＴＥ−Ａ）ネットワークであり得る。基地局１０５およびＵＥ１１５は、本書に説明されるように、さまざまな技術にしたがってシステム帯域幅の狭帯域部分において動作するＵＥ１１５に関わる測位決定を実施し得る。
【００６８】
[0079]    基地局１０５は、１つまたは複数の基地局アンテナを介してＵＥ１１５とワイヤレスで通信し得る。各基地局１０５は、通信カバレッジをそれぞれの地理的カバレッジエリア１１０に提供し得る。ワイヤレス通信システム１００中に示される通信リンク１２５は、ＵＥ１１５から基地局１０５へのＵＬ送信、または基地局１０５からＵＥ１１５へのＤＬ送信を含み得る。ＵＥ１１５は、ワイヤレス通信システム１００全体にわたって分散され得、各ＵＥ１１５は、固定式または移動式であり得る。ＵＥ１１５は、さらに、または代替として、移動局、加入者局、遠隔ユニット、ワイヤレスデバイス、アクセス端末（ＡＴ）、ハンドセット、ユーザエージェント、クライアント、または同様の専門用語で呼ばれ得る。ＵＥ１１５は、さらに、または代替として、セルラ電話、ワイヤレスモデム、携帯用デバイス、パーソナルコンピュータ、タブレット、パーソナル電子デバイス、マシン型通信（ＭＴＣ）デバイスなどであり得る。
【００６９】
[0080]  複数の基地局１０５は、コアネットワーク１３０と、および互いに、通信し得る。例えば、基地局１０５は、バックホールリンク（backhaul links）１３２（例えば、Ｓ１など）を通してコアネットワーク１３０とインターフェースで接続し得る。基地局１０５は、バックホールリンク１３４（例えば、Ｘ２など）にわたって、（例えば、コアネットワーク１３０を通じて）間接的に、または直接、互いに通信し得る。基地局１０５は、ＵＥ１１５との通信のための無線構成およびスケジューリングを実施し得るか、基地局コントローラ（図示せず）の制御のもとで動作し得る。いくつかの例では、基地局１０５は、マクロセル、スモールセル、ホットスポット、または同様のものであり得る。基地局１０５は、さらに、または代替として、ｅＮｏｄｅＢ（ｅＮＢ）１０５と呼ばれ得る。
【００７０】
[0081]  ワイヤレスデバイスのいくつかのタイプは、自動通信を提供し得る。自動化されたワイヤレスデバイスは、マシンツーマシン（Ｍ２Ｍ）通信またはＭＴＣをインプリメントするものを含み得る。Ｍ２ＭまたはＭＴＣは、デバイスが、人間の介在なしに互いにまたは基地局と通信することを可能にするデータ通信技術に言及し得る。例えば、Ｍ２ＭまたはＭＴＣは、情報を測定またはキャプチャし、その情報を使用することができる中央サーバまたはアプリケーションプログラムにその情報を中継するか、あるいはプログラムまたはアプリケーションと相互作用している人間にその情報を提示するためのセンサまたはメータを統合するデバイスからの通信に言及し得る。いくつかのＵＥ１１５は、情報を収集するか、または機械の自動化された挙動を可能にするように設計されたもののようなＭＴＣデバイスであり得、さらにまたは代替として狭帯域デバイスと呼ばれ得る。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的事象モニタリング、保有車両（fleet）管理および追跡、遠隔セキュリティ感知、物理（ＰＨＹ）アクセス制御、および取引ベースのビジネス課金（transaction-based business charging）を含む。ＭＴＣデバイスは、低減されたピークレートでの半二重（一方向）通信を使用して動作し得る。ＭＴＣデバイスはさらにまたは代替として、アクティブな通信に従事していないときに節電「ディープスリープ」モードに入るように構成され得る。いくつかの例では、いくつかのＭＴＣデバイスは、装置の携帯用または可動部品に関連付けられたＭＴＣデバイスのようなデバイスの位置情報を提供することが可能であり得る。このようなデバイスに求められ得る低コストおよび低複雑度のために、専用の測位モジュール（例えば、グローバルポジショニングシステム（ＧＰＳ）モジュール）を有することを避けるために、例えば、基地局１０５またはＵＥ１１５によって送信されるＰＲＳ、または他の信号に少なくとも部分的に基づいて測位情報を決定することが望ましい。さらにまたは代替として、いくつかの場合では、専用の測位モジュールは、いくつかのシナリオにおいて、タイムリーなまたは正確な測位情報を提供しない場合があり得る。かくして、本書に説明される技術は、位置決定において使用され得る測位測定を取得するために使用され得る。
【００７１】
[0082]  ＬＴＥシステムは、ＤＬ上でＯＦＤＭＡを、ＵＬ上でシングルキャリア周波数分割多元接続（ＳＣ−ＦＤＭＡ）を利用し得る。ＯＦＤＭおよびＳＣ−ＦＤＭＡは、システム帯域幅を複数（Ｋ）個の直交サブキャリアに区分し、それらは、一般にトーンまたはビン（bins）と称される。各サブキャリアは、データで変調され得る。隣接サブキャリア間の間隔は、固定であり得、サブキャリアの総数（Ｋ個）は、システム帯域幅に依存し得る。例えば、Ｋは、１．４、３、５、１０、１５、または２０メガヘルツ（ＭＨｚ）の（ガード帯域を有する）対応するシステム帯域幅に対して、それぞれ、１５キロヘルツ（ＫＨｚ）のサブキャリア間隔で７２、１８０、３００、６００、９００、または１２００に等しくなり得る。システム帯域幅はさらにまたは代替として、サブバンドに区分され得る。例えば、サブバンドは、１．０８ＭＨｚをカバーし得、１、２、４、８、または１６個のサブバンドがあり得る。
【００７２】
[0083]  フレーム構造は、物理的なリソースを体系化するために使用され得る。フレームは、１０個の同等のサイズのサブフレームにさらにまたは代替として分割され得る１０ｍｓインターバルであり得る。各サブフレームは、２つの連続したタイムスロットを含み得る。各スロットは、６または７のＯＦＤＭＡシンボル期間を含み得る。リソースエレメント（ＲＥ）は、さらにまたは代替としてトーンとも呼ばれ得る１シンボル期間および１サブキャリア（１５ＫＨｚの周波数範囲）を含む。ＲＢは、周波数領域において１２の連続するサブキャリアを包含し、各ＯＦＤＭシンボルにおける通常のＣＰでは、時間領域（１スロット）における７の連続するＯＦＤＭシンボルを包含し、すなわち、８４のＲＥを包含し得る。いくつかのＲＥは、ＤＬ基準信号（ＤＬ−ＲＳ）を含み得る。ＤＬ−ＲＳは、セル固有の基準信号（ＣＲＳ）と、ＵＥ固有のＲＳ（ＵＥ−ＲＳ）を含み得る。ＵＥ−ＲＳは、物理ダウンリンク共有チャネル（ＰＤＳＣＨ）に関連付けされたＲＢ上で送信され得る。各ＲＥによって搬送される複数のビットは、変調スキーム（各シンボル期間中に選択され得るシンボルの構成）に依存し得る。かくして、ＵＥが受信するＲＢがより多いほど、および変調スキームがより高度であるほど、データレートはより高くなり得る。
【００７３】
[0084]  いくつかの基地局１０５は、カバレッジエリア１１０内のいくつかのまたはすべてのＵＥ１１５にマルチメディアデータをブロードキャストするために、利用可能なＤＬ帯域幅の一部分を使用し得る。例えば、ワイヤレス通信システムは、モバイルＴＶコンテンツ（mobile TV content）をブロードキャストすること、または、コンサートまたはスポーツのイベントのようなライブイベントの近くに位置されたＵＥ１１５にライブイベントカバレッジをマルチキャストすることを、行うように構成され得る。いくつかの場合では、このことは、帯域幅のより有効な利用を可能にし得る。これらの基地局は、マルチメディアブロードキャストマルチキャストサービス（ＭＢＭＳ）または進化型マルチメディアブロードキャストマルチキャストサービス（ｅＭＢＭＳ）のセルと呼ばれ得る。いくつかの場合では、ＭＢＭＳセルは、ＭＢＭＳシングル周波数ネットワーク（ＭＢＳＦＮ）において一緒にグループ化され得、ここにおいてブロードキャストメディアは、各サポートセルによって同じ周波数リソース上で送信される。しかしながら、カバレッジエリアにおけるいくつかのＵＥ１１５は、ＭＢＭＳデータを受信しないことを選択し得る。いくつかの例では、ＭＢＭＳデータは、さらにまたは代替として、測位決定のために使用され得る周期的な信号、例えば、ＰＲＳ送信を含み得る。
【００７４】
[0085]  図２は、狭帯域デバイスのための測位信号のためのワイヤレス通信システム２００の例を示す。ワイヤレス通信システム２００は、第１の基地局１０５−ａ、第２の基地局１０５−ｂ、およびＵＥ１１５−ａを含み得、それは、図１を参照して説明される対応するデバイスの例であり得る。基地局１０５は、ＰＲＳ信号を送信し得、ＵＥ１１５−ａは、ＰＲＳ送信を受信し得、このようなＰＲＳ信号からの測定は、ＵＥ１１５−ａに関わる位置情報を決定するために使用され得る。いくつかの場合では、ＵＥ１１５−ａは、低コストおよび低複雑度のＭＴＣデバイスであり得る。
【００７５】
[0086]  いくつかの場合では、第１の基地局１０５−ａは、種々のデバイスにサービスする複数の狭帯域領域に分割され得る第１のキャリア２０５−ａを送信し得、ＵＥ１１５−ａは、キャリア２０５−ａの周波数範囲（例えば、３、５、１０、１５または２０ＭＨｚ帯域）内の狭帯域領域２１０−ａ（例えば、１．４ＭＨｚ領域）において動作し得る。同様に、第２の基地局１０５−ｂは、種々のデバイスにサービスする複数の狭帯域領域に分割され得る第２のキャリア２０５−ｂを送信し得、ＵＥ１１５−ａは、キャリア２０５−ｂの周波数範囲内の狭帯域領域２１０−ｂにおいて動作し得る。いくつかの例では、狭帯域領域２１０−ｂは、広帯域送信を伴うインバンドではない場合があり、しかし、広帯域帯域幅とは別個のスタンドアロン周波数帯域において位置され得るか、広帯域帯域幅のガードバンドにおいて位置され得る。いくつかの例では、ＵＥ１１５−ａは、種々のレベル（例えば、５ｄＢ、１０ｄＢ、または１５ｄＢ）において提供され得るカバレッジエンハンスメントに従って動作し得、それは、複数の反復される送信の結合によってカバレッジエンハンスメントを提供するために、送信のバンドリングを含み得る。
【００７６】
[0087]  第１の基地局１０５−ａおよび第２の基地局１０５−ｂによって送信されるいくつかの信号は、広帯域ＰＲＳ帯域幅にわたって構成されるＰＲＳ信号であり得る。このような広帯域ＰＲＳ帯域幅は、広帯域キャリア２０５の全帯域幅をカバーし得るか、キャリア２０５の狭帯域領域２１０よりさらに大きい広帯域帯域幅の一部分をカバーし得る。上記に示されているように、ＵＥ１１５−ａの低減された帯域幅能力によって、ＵＥ１１５−ａに利用可能なＰＲＳ送信機会が減じられ得、ＵＥ１１５−ａのための測位に課題をもたらし得る。
【００７７】
[0088]  いくつかの例では、ＵＥ１１５−ａは、基地局１０５−ａまたは基地局１０５−ｂのいずれか１つまたはその両方のために広帯域ＰＲＳリソースを決定し得、狭帯域領域２１０および広帯域ＰＲＳリソースを伴うインバンドの場合に、それぞれの狭帯域領域２１０において送信される広帯域ＰＲＳリソースの部分を受信し得る。狭帯域領域２１０がスタンドアロン周波数帯域にある、または広帯域キャリア２０５のガードバンドにある例では、基地局１０５は、狭帯域領域２１０のための専用の狭帯域ＰＲＳリソースを構成し得る。いくつかの例では、このような専用の狭帯域ＰＲＳリソースは、（例えば、シンボルにつき２トーン、および確立されたＰＲＳトーンホッピングを使用する）広帯域ＰＲＳ送信と同じ構成設計を有し得る。
【００７８】
［0089］  他の例では、専用の狭帯域ＰＲＳリソースは、例えば、２つのトーンホッピング値を有するＰＲＳのために構成された１シンボルにつき１トーンを有するような、確立された広帯域ＰＲＳとは異なる設計、を有し得、それは、確立された広帯域ＰＲＳ送信と比較してより多くのＰＲＳのための周波数再利用を、提供し得る。このようなより多くの周波数再利用は、ＰＲＳ測定を向上させるのを補助し得るエンハンスド周波数ダイバーシティ（enhanced frequency diversity）をＰＲＳ送信に提供し得る。いくつかの例では、１つまたは複数の他のダウンリンク信号、例えば、プライマリ同期信号（ＰＳＳ）、セカンダリ同期信号（ＳＳＳ）、ＰＢＣＨ信号、ＳＩＢ、またはそれらの組み合わせ、は、ＵＥ１１５−ａの位置を決定するために使用され得る測位測定を決定するために、ＰＲＳ送信と併せて使用され得る。いくつかの例では、１つまたは複数の他のダウンリンク信号は、ＵＥ１１５−ａの位置を決定するために、関連付けされたＰＲＳ測定無しで、単独で使用され得る。
【００７９】
[0090]  いくつかの例では、ＵＥ１１５−ａは、第１の基地局１０５−ａ、第２の基地局１０５−ｂ、またはそれら両方に信号を送信し得、それらは、ＰＲＳ測定と併せて、または単独で、ＵＥ１１５−ａの位置決定のために使用され得る。このような例では、基地局１０５は、タイミング推定を決定するために、ＵＥ１１５−ａからのアップリンク信号のためのアップリンクタイミングを使用し得る。例えば、ＵＥ１１５−ａは、基地局１０５において受信され得る、物理ランダムアクセスチャネル（ＰＲＡＣＨ）と同様の、または物理アップリンク共有チャネル（ＰＵＳＣＨ）と同様の送信を送信し得る。アップリンク信号は、いくつかの例ではＰＲＡＣＨまたはＰＵＳＣＨと同様の信号構造を有し得るが、それは、異なるリソースにおいて送信され得、（ランダムＰＲＡＣＨ送信とは異なる）スケジューリングが為され得るか、（ＰＲＡＣＨ送信と同様に）ランダムであり得る。アップリンク送信がスケジューリングされるいくつかの例では、アップリンク送信のために使用される時間および／または周波数リソースが、１つまたは複数の基地局に利用可能であり得る。このような例では、第１の基地局１０５−ａおよび第２の基地局１０５−ｂは、ＵＥ１１５−ａから受信される信号に関わる関連付けされたタイミング情報を提供し、タイミング情報に少なくとも部分的に基づいてＵＥ１１５−ａの位置を決定するように調整し得る。例えば、ＵＥ１１５−ａは、第１の基地局１０５−ａからの受信されたダウンリンク信号のダウンリンクタイミングにアラインされた最初の送信（例えば、ＰＲＡＣＨ送信と同様の特徴を有する測位送信）を送信し得る。最初の送信は、比較的長いサイクリックプレフィクスを使用して送信され得る。第１の基地局１０５−ａおよび第２の基地局１０５−ｂの両方は、最初の送信を受信し、最初の送信に対して受信処理（例えば、ＰＲＡＣＨと同様の受信の処理、測位には十分に正確ではない場合がある＋／−２ミリ秒以内までの初期のタイミングを提供すること）を実施し得る。第１の基地局１０５−ａおよび第２の基地局１０５−ｂは、各々、ＵＥ１１５−ａのためのタイミング調整を実施し、ＵＥ１１５−ａにタイミング調整情報を提供し得る。ＵＥ１１５−ａは、そのタイミング調整情報に少なくとも部分的に基づいて、各基地局１０５のためのタイミングを個々に調整し、いずれも最初の送信のサイクリックプレフィクスより短い持続時間を有する通常のサイクリックプレフィクス（ＮＣＰ）または拡張サイクリックプレフィクス（ＥＣＰ）を使用して、各基地局にアップリンク信号を送信し得る。各基地局１０５は、比較的低い残りのタイミングエラー（relatively low residual timing errors）を有する次の関連付けされた送信を受信し、ＵＥ１１５−ａの測位決定のために使用され得る比較的正確なタイミング推定を決定し得る。
【００８０】
[0091]  図３Ａは、本開示のさまざまな態様にしたがって、ＰＲＳ３０５がダウンリンクチャネルにおいて送信され得るダウンリンクチャネルリソースブロック３００を示す。例として、ダウンリンクチャネルリソースブロック３００は、図１または図２を参照して説明された基地局１０５のうちの１つによって送信され得る。例として、図３Ａに示されているＰＲＳ３０５は、ＬＴＥ／ＬＴＥ−Ａの新しいキャリアタイプ（ＮＣＴ：New Carrier Type）のアンテナポート６にマッピングされたＰＲＳ３０５であり得る。ＰＲＳ３０５は、１つまたは２つのＰＢＣＨアンテナポート上で送信され得る。
【００８１】
[0092]  ダウンリンクチャネルリソースブロック３００は、複数のリソースエレメント３１０を含む。各リソースエレメント３１０は、複数のシンボル期間のうちの１つ（例えば、ＯＦＤＭシンボル位置３１５）および複数の周波数サブキャリア３２０のうちの１つに対応し得る。例として、ダウンリンクチャネルリソースブロック３００は、１４のＯＦＤＭシンボル位置（またはスロット０およびスロット１とラベル付けされた２つのスロット、あるいは１つのサブフレーム）および１２の周波数サブキャリアに及ぶリソースエレメントを含む。例として、ＰＲＳ３０５は、ダウンリンクチャネルリソースブロック３００の１つまたは複数のリソースエレメント３１０のセットにおいて、例えば、Ｒ６とラベル付されたリソースエレメントにおいて、送信され得る。図３Ａの例では、第１の３つのシンボル３２５が、制御チャネル送信のためにリザーブされ得るので、ＰＲＳ３０５は、第１のスロットの第１の３つのシンボル３２５内で送信されない場合がある。
【００８２】
[0093]  ＰＲＳ３０５は、複数の構成可能なパラメータを有し得る。例えば、ＰＲＳ３０５は、パラメータＴＰＲＳおよびΔＰＲＳにマッピングされた構成インデックスＩＰＲＳを有し得、ここで、ＴＰＲＳは、ＰＲＳ３０５の送信の周期性（例えば、１６０、３２０、６４０、または１２８０ｍｓ）であり、ΔＰＲＳは、サブフレームオフセット（例えば、０から１１２０のサブフレームオフセット）である。ＰＲＳ３０５はさらにまたは代替として、構成パラメータ、例えば、持続時間ＮＰＲＳ、測定期間を規定する連続した送信の数Ｍ、ミューティング情報（例えば、ミューティングパラメータ）、可変セル固有周波数偏移パラメータＶｓｈｉｆｔ、ＰＲＳ帯域幅、および測定するセルの数、ｎ、を有し得る。持続時間ＮＰＲＳは、ＰＲＳ送信に含まれる連続したダウンリンクサブフレームの数（例えば、１、３、４、または６）を規定し得る。測定期間を規定する連続したＰＲＳ送信の数は、ＰＲＳの周波数内または周波数間構成に依存し得、いくつかの場合では８、１６、または３２であり得る。ミューティング情報は、３、４、８、または１６の周期性を有するＰＲＳ送信をマスクし得る。可変セル固有周波数偏移パラメータＶｓｈｉｆｔは、いくつかの例では、１と６との間の値であり得、６つの再使用ファクタ（reuse factor）を有効にする。ＰＲＳ帯域幅は、いくつかの例では、６、１５、３５、５０、７５、または１００個のリソースブロックとして構成され得る。測定するセルの数、ｎ、は、ＰＲＳ測定が行われ得るセルの任意の数であり得る。
【００８３】
[0094]  ＵＥ、例えば、図１または図２を参照して説明された複数のＵＥ１１５のうちの１つは、１つまたは複数の基地局１０５からＰＲＳ、例えばＰＲＳ３０５を受信し得る。ＵＥは、さらにまたは代替として、ＯＴＤＡ基準セルおよび１つまたは複数のＯＴＤＡ近隣セルのための構成パラメータを示し得るシグナリングを、基地局から受信し得る。いくつかの例では、ＯＴＤＡ−ＲｅｆｅｒｅｎｃｅＣｅｌｌ Ｉｎｆｏメッセージは、ＯＴＤＡ基準セルのための構成パラメータを示し得、１つまたは複数のＯＴＤＡ−ＮｅｉｇｈｂｏｒＣｅｌｌ Ｉｎｆｏメッセージは、１つまたは複数のＯＴＤＡ近隣セルのための構成パラメータを示し得る。ＯＴＤＡ−ＮｅｉｇｈｂｏｒＣｅｌｌ Ｉｎｆｏメッセージは、基準セルと近隣セルとの間にスロットタイミングオフセットおよびＰＲＳサブフレームオフセットを含み得る。スロットタイミングオフセットおよびＰＲＳサブフレームオフセットが、周波数間ＰＲＳ送信のために使用され得、ここで、基地局送信のタイミング差は、１サブフレームを超過し得る。ＯＴＤＡ−ＮｅｉｇｈｂｏｒＣｅｌｌ Ｉｎｆｏメッセージはさらにまたは代替として、周波数間およびキャリアアグリゲーションモードシナリオにおいてＰＲＳ送信の使用を可能にする。
【００８４】
[0095]  ＵＥは、最初のＰＲＳ送信の開始から測定期間（ＴＲＳＴＤ）内にｎ−１の近隣セルに対して複数のＰＲＳ測定を行い、ＲＳＴＤをレポートし得る。ＵＥは、そのＰＲＳ測定が有用であると見なされる前に、測定期間（ＴＲＳＴＤ）内に特定数の適したＰＲＳ測定（例えば、Ｍ／２個の適した測定）を行い得る。
【００８５】
[0096]  単一のオペレータの複数の基地局およびＰＲＳ送信は、干渉を低減するために同じ周波数にわたって同期化され得る。しかしながら、基地局の高密度展開（dense deployment）において、基地局は、ミューティングパターンにしたがってそのＰＲＳ送信をミュートし得る。
【００８６】
[0097]  図３Ｂは、本開示のさまざまな態様にしたがって、ＰＲＳ３５５がダウンリンクチャネルにおいて送信され得るダウンリンクチャネルリソースブロック３５０を示す。例として、図３Ｂに示されているＰＲＳ３５５は、ＬＴＥ／ＬＴＥ−Ａの新しいキャリアタイプ（ＮＣＴ）のアンテナポート６にマッピングされたＰＲＳ３５５であり得る。ＰＲＳ３５５は、４つのＰＢＣＨアンテナポート上で送信され得る。
【００８７】
[0098]  ダウンリンクチャネルリソースブロック３５０は、複数のリソースエレメント３６０を含む。各リソースエレメント３６０は、複数のシンボル期間のうちの１つ（例えば、ＯＦＤＭシンボル位置３６５）および複数の周波数サブキャリア３２０のうちの１つに対応し得る。例として、ダウンリンクチャネルリソースブロック３５０は、１４のＯＦＤＭシンボル位置（またはスロット０およびスロット１とラベル付けされた２つのスロット、あるいは１つのサブフレーム）および１２の周波数サブキャリアに及ぶリソースエレメントを含む。
【００８８】
[0099]  例として、ＰＲＳ３５５は、ダウンリンクチャネルリソースブロック３５０の１つまたは複数のリソースエレメント３６０のセットにおいて、例えば、Ｒ６とラベル付されたリソースエレメントにおいて、送信され得る。ＰＲＳ３５５を規定するリソースエレメント３６０のロケーションを別にすれば、ダウンリンクチャネルリソースブロック３５０およびＰＲＳ３５５は、ダウンリンクチャネルリソースブロック３００およびＰＲＳ３０５と同様に構成され得る。図３Ｂの例では、第１の３つのシンボル３７０が、制御チャネル送信のためにリザーブされ得るので、ＰＲＳ３５５は、第１のスロットの第１の３つのシンボル３７０内で送信されない場合がある。
【００８９】
[0100]  上記に示されたように、ＰＲＳ３０５およびＰＲＳ３５５は、いくつかの例では、基地局の全帯域システム帯域幅に及び得るＰＲＳ帯域幅にわたって構成され得るか、狭帯域通信デバイスによって使用され得る帯域幅の狭帯域部分よりは依然として多いが広帯域システム帯域幅よりは少ない範囲に及ぶように構成され得る。いくつかの例では、基地局は、広帯域ＰＲＳ送信（例えば、ＰＲＳ３０５、ＰＲＳ３５５）を構成し得、狭帯域デバイスは、インバンド展開において構成され得、且つＰＲＳ測定に関わる広帯域ＰＲＳ送信を使用し得る。ＰＲＳ測定を決定するために、ＵＥは、ＰＲＳについてシークエンシング（sequencing）情報を決定するために、ＰＲＳ帯域幅内のＲＢインデックスを決定し得、このＲＢインデックスは、全広帯域帯域幅内のＲＢインデックスとは異なり得、さらにまたは代替として、狭帯域ＵＥの狭帯域帯域幅内のＲＢインデックスとは異なり得る。かくして、いくつかの例では、ＵＥは、狭帯域送信帯域幅内のＰＲＳリソースのＲＢインデックスとは異なるＰＲＳ帯域幅内のＲＢインデックスを識別し、ＰＲＳ帯域幅内のＲＢインデックスに少なくとも部分的に基づいて、ＰＲＳ送信のＰＲＳシーケンスを決定し得る。
【００９０】
[0101]  いくつかの例では、狭帯域ＵＥは、特定のダウンリンクサブフレームにおいてシングルＲＢを受信することが可能であり得る。いくつかの例では、このような帯域幅制限（bandwidth-limited）ＵＥは、分解能（resolution）を改良するために、およびより正確なＰＲＳ測定を提供するために、受信されたＰＲＳ送信をオーバーサンプリングし得る。他の例では、狭帯域ＵＥは、それのＲＦフロントエンドにおいて複数のＲＢ（例えば６個のＲＢ）を受信することが可能であり得、同時にシングルＲＢを処理することが可能であり得る。このような例では、ＵＥは、複数のＲＢを同時に受信および格納し、関連付けられたＰＲＳ信号を格納し得る。そしてＵＥは、狭帯域（１ＲＢ）ベースバンド信号を順次処理し得る（例えば、６個のＲＢを処理するために６ミリ秒かかり得る）。このような技術は、オーバーサンプリング無しでＰＲＳ測定に関わる向上された分解能を提供し得、かくして、追加のＲＦフロントエンドおよび格納能力を犠牲にして処理要件を減じ得る。
【００９１】
[0102]  いくつかの例では、広帯域ＰＲＳ送信は、ＭＢＳＦＮサブフレームにおいて送信される場合、ＥＣＰを使用するが、狭帯域ＵＥはＥＣＰをサポートすることが可能でない場合がある。このような例では、このような狭帯域ＵＥは、ＭＢＳＦＮサブフレームにおいて送信されるＰＲＳサブフレームを使用することができない場合があり、ＰＲＳ受信およびこのようなサブフレームにおける処理をスキップし得る。狭帯域ＵＥがＥＣＰをサポートすることが可能である例では、基地局は、広帯域ＰＲＳサブフレームにおいてＣＰ長を識別することをＵＥに可能にするために、追加のシグナリング（例えば、ＳＩＢシグナリング、無線リソース制御（ＲＲＣ）、またはそれらの組み合わせ）を提供し得る。
【００９２】
[0103]  ダウンリンクチャネルリソースブロック３００およびダウンリンクチャネルリソースブロック３５０が広帯域ＰＲＳ構成のために使用され得る一方で、いくつかの例では、狭帯域ＵＥは、広帯域送信を受信することができない場合があるか、インバンド狭帯域送信（例えば、スタンドアロンまたはガードバンド展開）を受信するように構成されない場合があり得る。このような場合では、専用の狭帯域ＰＲＳが、基地局によって構成され得る。このような専用の狭帯域ＰＲＳは、１つのＲＢ帯域幅で構成され得、ＵＥは、いくつかの例では、分解能を向上させるためにオーバーサンプリングを使用し得る。いくつかの例では、専用の狭帯域ＰＲＳは、送信に関して、ＣＲＳ送信を含むいかなるＲＢも防ぐように構成され得る。他の例では、基地局は、ＰＲＳ送信を含むいかなるＲＢも防ぐようにＣＲＳ送信を構成し得る。さらにまたは代替として、干渉を低減するために、ミューティングが使用され得、または、比較的弱い信号を有する基地局の検出を支援するようにＲＢが構成されたＰＲＳに関しては、ミューティングの周波数が増加され得る。いくつかの例では、異なる基地局は、複数のＲＢを同時に測定することができないＵＥに対応するために、ＰＲＳ送信に対して異なるＲＢを使用し得る。いくつかの例では、測位測定のより高い精度を提供するために、専用の狭帯域ＰＲＳの周期性が、広帯域ＰＲＳの周期性に対して、減じられ得る。いくつかの例では、ＰＲＳ送信を伴う複数の連続したＤＬサブフレームが、広帯域ＰＲＳ送信に対して増加される。例えば、追加のＰＲＳ期間の値（例えば、２０ｍｓ、４０ｍｓ、８０ｍｓ）が、深いカバレッジにおける精度を向上させるために提供され得る。さらにまたは代替として、第１のスロットの第１の３つのシンボル（例えば、ダウンリンクチャネルリソースブロック３００のシンボル３２５、またはダウンリンクチャネルリソースブロック３５０のシンボル３７０）内の１つまたは複数のリソースエレメントが、スタンドアロンまたはガードバンド展開におけるＰＲＳ送信のために構成され得る。
【００９３】
[0104]  いくつかの例では、さらにまたは代替として測位測定を向上させるために、ＰＲＳ送信以外の１つまたは複数のダウンリンク送信が、測位測定のために使用され得る。例えば、ＵＥは、測位測定を支援するためにＰＳＳまたはＳＳＳ送信を使用し得る。いくつかの例では、ＳＳＳ送信のＰＳＳは、ＰＳＳ／ＳＳＳベースの推定およびＰＲＳベースの推定からのＰＲＳ測定のタイミング推定の加重結合を提供することによって測定精度を向上させるために、ＰＲＳ測定と結合され得る。例えば、ＰＳＳ／ＳＳＳベースの測定は、特定の基地局からのＰＲＳベースの測定より信頼性があり得、そしてその特定の基地局からのＰＳＳ／ＳＳＳベースの測定は、より重く加重され得、最終的なタイミング推定に達するように、その特定の基地局からのＰＲＳ測定と結合され得る。他の例では、ＵＥは、ＰＳＳ／ＳＳＳ信号を再構成し、周波数領域におけるパイロットとしてＰＳＳまたはＳＳＳ送信を使用し得、ＰＤＰおよび信号タイミング推定を得るために、ＰＲＳサブフレームとの非コヒーレント結合を使用し得る。いくつかの例では、ＰＳＳまたはＳＳＳ送信からの測定は、ＵＥの正確な測位決定を実施するのに十分であり得、専用のＰＲＳは必要でない場合がある。いくつかの例では、測位測定を支援し得る１つまたは複数の他のダウンリンク送信は、ＰＢＣＨ送信、ＳＩＢ送信、またはそれらの組み合わせであり得る。例えば、ＰＢＣＨ／ＳＩＢ送信は、ＰＤＰを得るためにＰＲＳサブフレームとの非コヒーレント結合によって、測位を改良するためにパイロットとして使用され得る。いくつかの例では、ＰＢＣＨまたはＳＩＢ送信からの測定は、ＵＥの正確な測位決定を実施するのに十分であり得、専用のＰＲＳは必要でない場合がある。
【００９４】
[0105]  図４Ａは、狭帯域デバイスのための測位信号のための広帯域および狭帯域リソース４００の例を示す。いくつかの場合では、広帯域および狭帯域リソース４００は、図１乃至３を参照して説明されたように、ＵＥ１１５または基地局１０５によって実施される技術の態様を示し得る。図４Ａの例では、システム帯域幅４０５は、広帯域送信のために基地局において利用可能であり得、基地局は、広帯域ＰＲＳ帯域幅４１０を全システム帯域幅４０５に及ぶように構成し得る。狭帯域ＲＢ４１５は、システム帯域幅４０５の狭帯域部分において構成され得、１つまたは複数の狭帯域ＵＥとの狭帯域通信のために使用され得る。
【００９５】
[0106]  図４Ａの例では、ＵＥは、広帯域ＰＲＳ送信と狭帯域ＰＲＳ送信との両方を受信することが可能であり得、あるサブフレームでは広帯域ＰＲＳを測定し、あるサブフレームでは狭帯域ＰＲＳ送信を測定し得る。
【００９６】
[0107]  いくつかの場合では、広帯域ＰＲＳ帯域幅は、システム帯域幅よりも小さく、基地局は、ＵＥにおけるＰＲＳ測定を向上させるために、特定の狭帯域ＰＲＳ送信のためにシステム帯域幅の１つまたは複数の部分を使用し得る。図４Ｂは、狭帯域デバイスのための測位信号のための広帯域および狭帯域リソース４５０の例を示す。いくつかの場合では、広帯域および狭帯域リソース４５０は、図１乃至３を参照して説明されたように、ＵＥ１１５または基地局１０５によって実施される技術の態様を示し得る。図４Ｂの例では、システム帯域幅４５５は、広帯域送信のために基地局において利用可能であり得、基地局は、広帯域ＰＲＳ帯域幅４６０を全システム帯域幅４０５に満たない範囲に及ぶように構成し得る。狭帯域のための特定のＰＲＳ ＲＢ４６５−ａ、４６５−ｂおよび４６５−ｃは、広帯域ＰＲＳ帯域幅４６０とオーバーラッピングしないシステム帯域幅４５５の狭帯域部分において構成され得る。基地局は、いくつかの例では、狭帯域ＵＥへの追加のＰＲＳ送信を提供するために、狭帯域のための特定のＰＲＳ ＲＢ４６５を構成し得る。いくつかの例では、狭帯域のための特定のＰＲＳ ＲＢ４６５は、他の狭帯域チャネルのためには使用されない。
【００９７】
[0108]  図５は、本開示のいくつかの態様にしたがって専用の狭帯域ＰＲＳ送信のためのワイヤレスリソース５００の例を示す。いくつかの場合では、ワイヤレスリソース５００は、図１乃至４を参照して説明されたように、ＵＥ１１５または基地局１０５によって実施される技術の態様を示し得る。ワイヤレスリソース５００は、本開示のさまざまな態様にしたがって、ＰＲＳ５０５がダウンリンクチャネルにおいて送信され得るように構成されたリソースを含み得る。
【００９８】
[0109]  ワイヤレスリソース５００は、複数のリソースエレメント５１０を含む。各リソースエレメント５１０は、複数のシンボル期間のうちの１つ（例えば、ＯＦＤＭシンボル位置５１５）および複数の周波数サブキャリア５２０のうちの１つに対応し得る。例として、ワイヤレスリソース５００は、１４のＯＦＤＭシンボル位置（またはスロット０およびスロット１とラベル付けされた２つのスロット、あるいは１つのサブフレーム）および１２の周波数サブキャリアに及ぶリソースエレメントを含む。
【００９９】
[0110]  図５の例では、ＰＲＳ５０５は、ワイヤレスリソース５００の１つまたは複数のリソースエレメント５１０のセットにおいて、例えば、Ｒ６とラベル付されたリソースエレメントにおいて、送信され得る。この例では、シンボル５１５につきシングルトーンが、ＰＲＳ５０５のために使用され得る（かくして、アップリンクＰＲＡＣＨ送信のために使用されるＰＲＡＣＨ設計に類似した設計を提供する）。ＰＲＳ５０５は、複数のホッピング値、例えば、あるシンボル５１５で使用されるホッピング値を識別する第１のトーンホッピング値５２５、および、あるシンボル５１５で使用され得る第２のトーンホッピング値５３０で構成され得る。複数のホッピング値を提供することによって、シンボル５１５につき２ＰＲＳトーンが使用された場合に利用可能であり得る周波数再利用に対して、増大された周波数再利用（例えば、１２の周波数再利用）が、提供され得る。いくつかの例では、第１のホッピング値５２５は、１トーンのトーンホッピングを提供し、第２のホッピング値５３０は、６トーンのトーンホッピングを提供する。いくつかの例では、追加のトーンホッピング値が使用され得、その場合には、構成されたＰＲＳ５０５ＲＥは、ホッピング値の数が増大するのにしたがって、（例えば図３Ａおよび図３Ｂにおいて述べられたように、）現在のＰＲＳと同様の設計に収束し得る。
【０１００】
[0111]  図６は、本開示のさまざまな態様にしたがって狭帯域デバイスのための測位信号に関わるプロセスフロー６００の例を例示する。プロセスフロー６００は、第１の基地局１０５−ｃ、第２の基地局１０５−ｂ、およびＵＥ１１５−ｂを含み得、それらは、図１乃至５を参照して説明される対応するデバイスの例であり得る。
【０１０１】
[0112]  ＵＥ１１５−ｂは、上述されたのと同様に、広帯域システム帯域幅内で、またはガードバンドあるいはスタンドアロン展開において、狭帯域送信を送信および受信することが可能であり得る狭帯域ＵＥであり得る。第１の基地局１０５−ｃは、ＵＥ１１５−ｂとチャネル構成情報６０５を通信し得、第２の基地局１０５−ｄは、ＵＥ１１５−ｂとチャネル構成情報６１０を通信し得る。チャネル構成情報に少なくとも部分的に基づいて、ＵＥ１１５−ｂは、ブロック６１５に示されるように、ＰＲＳリソースを識別し得る。第１の基地局１０５−ｃは、ブロック６２０に示されるように第１のＰＲＳを生成し、送信６２５において第１のＰＲＳを送信し得る。第１のＰＲＳは、いくつかの例ではガードバンドまたはスタンドアロン送信が使用され得るのに対し、いくつかの例では、第１の基地局１０５−ｃの広帯域送信６２５でインバンドで送信され得る。第２の基地局１０５−ｄは、ブロック６３０において示されるように第２のＰＲＳを生成し、送信６３５において第２のＰＲＳを送信し得る。第２のＰＲＳは、いくつかの例ではガードバンドまたはスタンドアロン送信が使用され得るのに対し、いくつかの例では、第１の基地局１０５−ｃの広帯域送信でインバンドで送信され得る。ＵＥ１１５−ｂは、ブロック６４０において、図１乃至５に関して上述されたのと同様の方法で、受信された信号をサンプリングおよび処理し得る。ブロック６４５において、ＵＥは、測位パラメータ、例えば、位置決定のために使用され得る上述されたようなタイミングまたは信号パラメータ、を決定し得る。ＵＥ１１５−ｂは、第１の基地局１０５−ｃ(または別のエンティティ）に測位パラメータ６５０を選択的に送信し得、それは、ブロック６６０において、ＵＥ１１５−ｂの位置を推定し得る。いくつかの例では、ＵＥ１１５−ｂは、ブロック６５５において示されるように、測位パラメータに少なくとも部分的に基づいてそれ自身の位置を推定し得る。
【０１０２】
[0113]  図７は、本開示のさまざまな態様にしたがって狭帯域デバイスのための測位信号をサポートするワイヤレスデバイス７００のブロック図を示す。ワイヤレスデバイス７００は、図１乃至６を参照して説明されたＵＥ１１５の態様の例であり得る。ワイヤレスデバイス７００は、受信機７０５、測位信号マネージャ７１０、および送信機７１５を含み得る。ワイヤレスデバイス７００は、さらにまたは代替として、プロセッサを含み得る。これらのコンポーネントの各々は、互いに通信状態にあり得る。
【０１０３】
[0114]  受信機７０５は、さまざまな情報チャネル（例えば、制御チャネル、データチャネル、および狭帯域デバイスのための測位信号に関連した情報など）に関連付けられた、パケット、ユーザデータ、または制御情報のような情報を受信し得る。情報は、デバイスの他のコンポーネントに伝えられ得る。受信機７０５は、図１０を参照して説明されたトランシーバ１０２５の態様の例であり得る。
【０１０４】
[0115]  測位信号マネージャ７１０は、ＰＲＳリソースを識別し、ＤＬサブフレームのセットの間の少なくとも１つのＤＬサブフレームにおける１つまたは複数のＰＲＳ送信を、狭帯域送信帯域幅内のＰＲＳリソースにおいて、受信し得る。ＰＲＳリソースは、広帯域ＰＲＳ送信内のＰＲＳリソースであり得るか、狭帯域デバイスのための専用のＰＲＳリソースであり得る。測位信号マネージャ７１０は、いくつかの例では、ＰＲＳ受信のためのＤＬサブフレームの複数のシンボルを識別し、トーンホッピング値および各シンボルのシンボルロケーションに少なくとも部分的に基づいて複数のシンボルの２つ以上のシンボル内のＰＲＳトーンとして構成されるシングルトーンを識別し、１つまたは複数のＰＲＳ送信を、識別されたＰＲＳトーンにおいて、受信し得る。
【０１０５】
[0116]  いくつかの例では、測位信号マネージャ７１０は、ワイヤレスデバイス７００から１つまたは複数のアップリンク信号に少なくとも部分的に基づいて位置決定を管理し得る。このような例では、測位信号マネージャ７１０は、第１の基地局から１つまたは複数のＤＬ送信を受信し、第１の基地局のための第１のＤＬタイミングを決定し、第１のＤＬタイミングにアラインされ第１のＣＰ持続時間を有する第１のＣＰを含む第１のＵＬ送信を送信し、第１の基地局からタイミング調整を受信し、第１の基地局に第２のＵＬ送信を送信し得、第２のＵＬ送信は、タイミング調整に少なくとも部分的に基づき、第１のＣＰ持続時間より少ない第２のＣＰ持続時間を有する第２のＣＰを含む。測位信号マネージャ７１０は、図１０を参照して説明された測位信号マネージャ１００５の態様の例であり得る。
【０１０６】
[0117]  送信機７１５は、ワイヤレスデバイス７００の他のコンポーネントから受信された信号を送信し得る。いくつかの例では、送信機７１５は、トランシーバモジュールにおける受信機とコロケートされ得る。例えば、送信機７１５は、図１０を参照して説明されたトランシーバ１０２５の態様の例であり得る。送信機７１５は、単一のアンテナを含み得るか、それは複数のアンテナを含み得る。
【０１０７】
[0118]  図８は、本開示のさまざまな態様にしたがって狭帯域デバイスのための測位信号をサポートするワイヤレスデバイス８００のブロック図を示す。ワイヤレスデバイス８００は、図１乃至７を参照して説明されたＵＥ１１５またはワイヤレスデバイス７００の態様の例であり得る。ワイヤレスデバイス８００は、受信機８０５、測位信号マネージャ８１０、および送信機８３５を含み得る。ワイヤレスデバイス８００は、さらにまたは代替として、プロセッサを含み得る。これらのコンポーネントの各々は、互いに通信状態にあり得る。
【０１０８】
[0119]  受信機８０５は、デバイスの他のコンポーネントに伝えられ得る情報を受信し得る。受信機８０５はさらにまたは代替として、図７の受信機７０５を参照して説明された機能を実施し得る。受信機８０５は、図１０を参照して説明されたトランシーバ１０２５の態様の例であり得る。
【０１０９】
[0120]  測位信号マネージャ８１０は、図７を参照して説明された測位信号マネージャ７１０の態様の例であり得る。測位信号マネージャ８１０は、狭帯域（ＮＢ）リソースコンポーネント８１５、ＮＢ ＰＲＳコンポーネント８２０、トーンホッピングコンポーネント８２５、およびタイミングアラインメントコンポーネント８３０を含み得る。測位信号マネージャ８１０は、図１０を参照して説明された測位信号マネージャ１００５の態様の例であり得る。
【０１１０】
[0121]  ＮＢリソースコンポーネント８１５は、ＤＬサブフレームのセットの１つまたは複数のＤＬサブフレームにおけるＰＲＳリソースおよびＰＲＳ帯域幅を識別し得る。いくつかの場合では、ＰＲＳ帯域幅は、１つまたは複数のＰＲＳ送信を送信する送信機の広帯域システム帯域幅より小さいかそれと同等であり、且つ狭帯域送信帯域幅より大きい。いくつかの場合では、狭帯域送信帯域幅内のＰＲＳリソースは、狭帯域送信帯域幅のシングルＲＢ内のリソースを含む。いくつかの場合では、ＰＲＳリソースは、ＰＲＳ送信の１つまたは複数の送信機の広帯域システム帯域幅の外にあるスタンドアロン狭帯域送信帯域幅におけるワイヤレス送信リソース、または、ＰＲＳ送信の１つまたは複数の送信機の広帯域システム帯域幅に隣接するガードバンド帯域幅におけるワイヤレス送信リソース、を含む。
【０１１１】
[0122]  いくつかの場合では、狭帯域送信帯域幅のシングルＲＢは、複数の送信機からのＣＲＳまたはＰＲＳ送信の１つまたは複数を含まない。いくつかの場合では、狭帯域送信帯域幅内のＰＲＳ送信の周期性は、広帯域ＰＲＳ送信周期性に対して減じられる。いくつかの場合では、ＰＲＳ送信を有する複数の連続したＤＬサブフレームは、広帯域ＰＲＳ送信周期性に対して増加される。いくつかの場合では、シングルＲＢ内のＰＲＳリソースは、シングルＲＢの第１乃至第３のシンボルのうちの１つまたは複数内にＰＲＳリソースを含む。
【０１１２】
[0123]  いくつかの場合では、ＮＢリソースコンポーネント８１５は、ＤＬサブフレームのセットの第１のＤＬサブフレームにおける第１のＰＲＳ帯域幅を、ＰＲＳ送信を送信する１つまたは複数の送信機の広帯域システム帯域幅内にあるとして、識別し得る。いくつかの場合では、１つまたは複数のＰＲＳ送信のＰＲＳ帯域幅は、狭帯域送信帯域幅とは異なり、識別することは、狭帯域送信帯域幅内のＰＲＳリソースのＲＢインデックスとは異なるＰＲＳ帯域幅内のＲＢインデックスを識別することを含む。
【０１１３】
[0124]  ＮＢ ＰＲＳコンポーネント８２０は、ＤＬサブフレームのセットの間の少なくとも１つのＤＬサブフレームにおける１つまたは複数のＰＲＳ送信を、狭帯域送信帯域幅内のＰＲＳリソースにおいて、受信し得る。いくつかの場合では、受信することは、少なくとも１つのＤＬサブフレームにおける狭帯域送信帯域幅のセットにおいてＲＢのセットを受信することを含む。
【０１１４】
[0125]  トーンホッピングコンポーネント８２５は、ＰＲＳ受信のためのＤＬサブフレームのシンボルのセットを識別し、トーンホッピング値および各シンボルのシンボルロケーションに少なくとも部分的に基づいてシンボルのセットのうちの２つ以上のシンボルの各々内でＰＲＳトーンとして構成されたシングルトーンを識別し、１つまたは複数のＰＲＳ送信を、識別されたＰＲＳトーンにおいて、受信し、第１のシンボルの第１のＰＲＳトーンロケーションおよび第１のトーンホッピング値に少なくとも部分的に基づいて第２のシンボルのための第２のＰＲＳトーンロケーションを識別し、第２のシンボルのための第２のトーンホッピング値を識別し、第２のＰＲＳトーンロケーションおよび第２のトーンホッピング値に少なくとも部分的に基づいて第３のシンボルのための第３のＰＲＳトーンロケーションを識別し得る。
【０１１５】
[0126]  いくつかの場合では、２つ以上のシンボルの各々内でシングルトーンを識別することは、第１のシンボルのための第１のトーンホッピング値を識別することを含む。いくつかの場合では、トーンホッピング値は、ＰＲＳトーンとして構成された連続したシンボル内の異なるトーンを識別する。
【０１１６】
[0127]  タイミングアラインメントコンポーネント８３０は、第１の基地局から１つまたは複数のＤＬ送信を受信し、第１の基地局のための第１のＤＬタイミングを決定し、第１のＤＬタイミングにアラインされ第１のＣＰ持続時間を有する第１のＣＰを含む第１のＵＬ送信を送信し、第１の基地局からタイミング調整を受信し、第１の基地局に第２のＵＬ送信を送信し得、第２のＵＬ送信は、タイミング調整に少なくとも部分的に基づき、第１のＣＰ持続時間より少ない第２のＣＰ持続時間を有する第２のＣＰを含む。
【０１１７】
[0128]  送信機８３５は、ワイヤレスデバイス８００の他のコンポーネントから受信された信号を送信し得る。いくつかの例では、送信機８３５は、トランシーバモジュールにおける受信機とコロケートされ得る。例えば、送信機８３５は、図１０を参照して説明されたトランシーバ１０２５の態様の例であり得る。送信機８３５は、単一のアンテナを使用し得るか、それは複数のアンテナを使用し得る。
【０１１８】
[0129]  図９は、ワイヤレスデバイス８００、またはワイヤレスデバイス７００の対応するコンポーネントの例であり得る測位信号マネージャ９００のブロック図を示す。すなわち、測位信号マネージャ９００は、図７および８を参照して説明された測位信号マネージャ８１０または測位信号マネージャ７１０の態様の例であり得る。測位信号マネージャ９００はさらにまたは代替として、図１０を参照して説明された測位信号マネージャ１００５の態様の例であり得る。
【０１１９】
[0130]  測位信号マネージャ９００は、サンプリングコンポーネント９０５、順次処理コンポーネント９１０、ＣＰ長コンポーネント９１５、制御チャネルコンポーネント９２０、トーンホッピングコンポーネント９２５、タイミングアラインメントコンポーネント９３０、ＮＢリソースコンポーネント９３５、ＰＲＳシーケンスコンポーネント９４０、およびＮＢ ＰＲＳコンポーネント９４５を含み得る。これらのモジュールの各々は、（例えば１つまたは複数のバスを介して）互いに、直接または間接的に、通信し得る。
【０１２０】
[0131]  サンプリングコンポーネント９０５は、ＤＬサブフレームのセットにおいて受信される他の信号のサンプリングより高いサンプリングレートでＰＲＳリソースにおいて受信される信号をサンプリングし得る。順次処理コンポーネント９１０は、１つまたは複数のＰＲＳ送信に関連付けされた１つまたは複数の測位パラメータを決定するためにＲＦフロントエンドにおいて受信される２つ以上のＲＢを順次処理し得る。いくつかの場合では、１つまたは複数の測位パラメータは、２つ以上の送信機のＰＲＳ送信間のＲＳＴＤ測定のうちの１つまたは複数、ＰＲＳ送信のうちの１つまたは複数のＲＳＳＩ、または２つ以上の送信機のＰＲＳ送信間のＯＴＤＡを含む。
【０１２１】
[0132]  ＣＰ長コンポーネント９１５は、いくつかの場合では、少なくとも１つのＤＬサブフレームの、サブフレームのタイプに少なくとも部分的に基づいて１つまたは複数のＰＲＳ送信のＣＰ長を識別し得る。いくつかの場合では、ＣＰ長は、サブフレームのタイプがマルチメディアブロードキャストシングル周波数ネットワーク（ＭＢＳＦＮ）サブフレームである場合に、拡張ＣＰ長として識別される。
【０１２２】
[0133]  ダウンリンクチャネルコンポーネント９２０は、１つまたは複数のダウンリンクチャネルのための狭帯域送信帯域幅内でワイヤレス送信リソースを識別し得、１つまたは複数の送信機から１つまたは複数のダウンリンク信号を、１つまたは複数のダウンリンクチャネルにおいて、受信し、１つまたは複数のＰＲＳベースの測位パラメータに加えて１つまたは複数の測位パラメータを決定するために１つまたは複数のダウンリンク信号を処理し得る。いくつかの場合では、１つまたは複数のダウンリンク信号は、ＰＳＳ、ＳＳＳ、ＰＢＣＨ信号またはＳＩＢ信号の１つまたは複数を含む。いくつかの場合では、処理することは、ＰＤＰを決定するために１つまたは複数のＰＲＳ送信との１つまたは複数のダウンリンク信号の非コヒーレント結合を含む。いくつかの場合では、処理することは、１つまたは複数のダウンリンク信号に関連付けされた測定に少なくとも部分的に基づく、２つ以上のＰＲＳベースの測位パラメータの加重結合を含む。
【０１２３】
[0134]  トーンホッピングコンポーネント９２５は、ＰＲＳ受信のためのＤＬサブフレームのシンボルのセットを識別し、トーンホッピング値および各シンボルのシンボルロケーションに少なくとも部分的に基づいてシンボルのセットのうちの２つ以上のシンボルの各々内でＰＲＳトーンとして構成されたシングルトーンを識別し、１つまたは複数のＰＲＳ送信を、識別されたＰＲＳトーンにおいて、受信し、第１のシンボルの第１のＰＲＳトーンロケーションおよび第１のトーンホッピング値に少なくとも部分的に基づいて第２のシンボルのための第２のＰＲＳトーンロケーションを識別し、第２のシンボルのための第２のトーンホッピング値を識別し、第２のＰＲＳトーンロケーションおよび第２のトーンホッピング値に少なくとも部分的に基づいて第３のシンボルのための第３のＰＲＳトーンロケーションを識別し得る。
【０１２４】
[0135]  タイミングアラインメントコンポーネント９３０は、第１の基地局から１つまたは複数のＤＬ送信を受信し、第１の基地局のための第１のＤＬタイミングを決定し、第１のＤＬタイミングにアラインされ第１のＣＰ持続時間を有する第１のＣＰを含む第１のＵＬ送信を送信し、第１の基地局からタイミング調整を受信し、第１の基地局に第２のＵＬ送信を送信し得、第２のＵＬ送信は、タイミング調整に少なくとも部分的に基づき、第１のＣＰ持続時間より少ない第２のＣＰ持続時間を有する第２のＣＰを含む。
【０１２５】
[0136]  ＮＢリソースコンポーネント９３５は、ＤＬサブフレームにおけるＰＲＳリソースおよびＰＲＳ帯域幅を識別し、広帯域または狭帯域送信帯域幅内でＰＲＳリソースを識別し得る。ＰＲＳシーケンスコンポーネント９４０は、ＰＲＳ帯域幅内のＲＢインデックスに少なくとも部分的に基づいてＰＲＳシーケンスを決定し得る。
【０１２６】
[0137]  ＮＢ ＰＲＳコンポーネント９４５は、ＤＬサブフレームのセットの間の少なくとも１つのＤＬサブフレームにおける１つまたは複数のＰＲＳ送信を、狭帯域送信帯域幅内のＰＲＳリソースにおいて、受信し得る。いくつかの場合では、受信することは、少なくとも１つのＤＬサブフレームにおける狭帯域送信帯域幅のセットにおいてＲＢのセットを受信することを含む。
【０１２７】
[0138]  図１０は、本開示のさまざまな態様にしたがって狭帯域デバイスのための測位信号をサポートするデバイスを含むシステム１０００の図を示す。例えば、システム１０００は、ＵＥ１１５−ｃを含み得、それは、図１乃至９を参照して説明されたようにワイヤレスデバイス７００、ワイヤレスデバイス８００、またはＵＥ１１５の例であり得る。
【０１２８】
[0139]  ＵＥ１１５−ｃはさらにまたは代替として、測位信号マネージャ１００５、メモリ１０１０、プロセッサ１０２０、トランシーバ１０２５、アンテナ１０３０、およびＭＴＣモジュール１０３５を含み得る。これらのモジュールの各々は、（例えば１つまたは複数のバスを介して）互いに、直接または間接的に、通信し得る。測位信号マネージャ１００５は、図７乃至図９を参照して説明されたように測位信号マネージャの例であり得る。
【０１２９】
[0140]  メモリ１０１０は、ランダムアクセスメモリ（ＲＡＭ）および読取専用メモリ（ＲＯＭ）を含み得る。メモリ１０１０は、実行されるとき、プロセッサに、本書に説明されるさまざまな機能（例えば、狭帯域デバイスのための測位信号など）を実施させる命令を含む、コンピュータ可読、コンピュータ実行可能ソフトウェアを記憶し得る。いくつかの場合では、ソフトウェア１０１５は、プロセッサによって直接的に実行可能ではない場合もあるが、（例えば、コンパイルおよび実行されるとき、）コンピュータに、本書に説明される機能を実施させ得る。プロセッサ１０２０は、インテリジェントハードウェアデバイス（例えば、中央処理ユニット（ＣＰＵ）、マイクロコントローラ、特定用途向け集積回路（ＡＳＩＣ）など）を含み得る。
【０１３０】
[0141]  上述されたように、トランシーバ１０２５は、１つまたは複数のアンテナ、有線あるいは無線のリンクを介して、１つまたは複数のネットワークと双方向に通信し得る。例えば、トランシーバ１０２５は、基地局１０５またはＵＥ１１５と双方向に通信し得る。トランシーバ１０２５はさらにまたは代替として、パケットを変調し、変調されたパケットを送信のためにアンテナに提供するために、および、アンテナから受信されたパケットを復調するために、モデムを含み得る。
【０１３１】
[0142]  いくつかの場合では、ワイヤレスデバイスは、単一のアンテナ１０３０を含み得る。しかしながら、いくつかの場合では、デバイスは、２つ以上のアンテナ１０３０を有し得、それらは、複数のワイヤレス送信を同時に送信または受信することが可能であり得る。
【０１３２】
[0143]  ＭＴＣモジュール１０３５は、狭帯域動作を含めて、図１を参照して上述されたようなＭＴＣまたはモノのインターネット（ＩｏＴ）動作を可能にし得る。
【０１３３】
[0144]  図１１は、本開示のさまざまな態様にしたがって狭帯域デバイスのための測位信号をサポートするワイヤレスデバイス１１００のブロック図を示す。ワイヤレスデバイス１１００は、図１乃至６を参照して説明された基地局１０５の態様の例であり得る。ワイヤレスデバイス１１００は、受信機１１０５、基地局測位信号マネージャ１１１０、および送信機１１１５を含み得る。ワイヤレスデバイス１１００は、さらにまたは代替として、プロセッサを含み得る。これらのコンポーネントの各々は、互いに通信状態にあり得る。
【０１３４】
[0145]  受信機１１０５は、さまざまな情報チャネル（例えば、制御チャネル、データチャネル、および狭帯域デバイスのための測位信号に関連した情報など）に関連付けられた、パケット、ユーザデータ、または制御情報のような情報を受信し得る。情報は、デバイスの他のコンポーネントに伝えられ得る。受信機１１０５は、図１４を参照して説明されたトランシーバ１４２５の態様の例であり得る。
【０１３５】
[0146]  基地局測位信号マネージャ１１１０は、広帯域または狭帯域送信帯域幅内でＰＲＳリソースを識別し、識別されたＰＲＳリソースに少なくとも部分的に基づいてＰＲＳを生成し、広帯域または狭帯域送信帯域幅内のＰＲＳリソースにおいて、ＤＬサブフレームのセット間の少なくとも１つのＤＬサブフレームにおいてＰＲＳを送信し得る。
【０１３６】
[0147]  基地局測位信号マネージャ１１１０はさらにまたは代替として、いくつかの例では、ＰＲＳ送信のためのＤＬサブフレームのシンボルのセットを構成し、トーンホッピング値および各シンボルのシンボルロケーションに少なくとも部分的に基づいて各シンボル内のＰＲＳトーンとしてシングルトーンを、シンボルのセットの各々の内で、構成し、シンボルのセットの構成されたトーンにおいてＰＲＳを送信し得る。
【０１３７】
[0148]  基地局測位信号マネージャ１１１０はさらにまたは代替として、いくつかの例では、ＵＥから第１のＵＬ送信を受信し、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信し、ＵＥから第２のＵＬ送信を受信し、第２のＵＬ送信は、タイミング調整に少なくとも部分的に基づき第１のＣＰ持続時間より少ない第２のＣＰ持続時間を有する第２のＣＰを含む、および、第２のＵＬ送信の受信の時間に少なくとも部分的に基づいてＵＥでの送信に関わるＲＴＤを決定し得る。基地局測位信号マネージャ１１１０は、図１４を参照して説明された基地局測位信号マネージャ１４０５の態様の例であり得る。
【０１３８】
[0149]  送信機１１１５は、ワイヤレスデバイス１１００の他のコンポーネントから受信された信号を送信し得る。いくつかの例では、送信機１１１５は、トランシーバモジュールにおける受信機とコロケートされ得る。例えば、送信機１１１５は、図１４を参照して説明されたトランシーバ１４２５の態様の例であり得る。送信機１１１５は、単一のアンテナを含み得るか、それは複数のアンテナを含み得る。
【０１３９】
[0150]  図１２は、本開示のさまざまな態様にしたがって狭帯域デバイスのための測位信号をサポートするワイヤレスデバイス１２００のブロック図を示す。ワイヤレスデバイス１２００は、図１乃至６および図１１を参照して説明された基地局１０５またはワイヤレスデバイス１１００の態様の例であり得る。ワイヤレスデバイス１２００は、受信機１２０５、基地局測位信号マネージャ１２１０、および送信機１２４０を含み得る。ワイヤレスデバイス１２００はさらにまたは代替として、プロセッサを含み得る。これらのコンポーネントの各々は、互いに通信状態にあり得る。
【０１４０】
[0151]  受信機１２０５は、デバイスの他のコンポーネントに伝えられ得る情報を受信し得る。受信機１２０５はさらにまたは代替として、図１１の受信機１１０５を参照して説明された機能を実施し得る。受信機１２０５は、図１４を参照して説明されたトランシーバ１４２５の態様の例であり得る。
【０１４１】
[0152]  基地局測位信号マネージャ１２１０は、図１１を参照して説明された基地局測位信号マネージャ１１１０の態様の例であり得る。基地局測位信号マネージャ１２１０は、ＮＢリソースコンポーネント１２１５、ＰＲＳコンポーネント１２２０、トーンホッピングコンポーネント１２２５、タイミングアラインメントコンポーネント１２３０、およびＲＴＤコンポーネント１２３５を含み得る。基地局測位信号マネージャ１２１０は、図１４を参照して説明された基地局測位信号マネージャ１４０５の態様の例であり得る。
【０１４２】
[0153]  ＮＢリソースコンポーネント１２１５は、狭帯域送信帯域幅内でＰＲＳリソースを識別し得る。いくつかの場合では、狭帯域送信帯域幅は、広帯域送信帯域幅のサブセットである。いくつかの場合では、狭帯域送信帯域幅内のＰＲＳリソースは、狭帯域送信帯域幅のシングルＲＢ内のリソースを含む。いくつかの場合では、ＰＲＳリソースは、広帯域システム帯域幅の外にあるスタンドアロン狭帯域送信帯域幅におけるワイヤレス送信リソース、または、広帯域システム帯域幅に隣接するガードバンド帯域幅におけるワイヤレス送信リソースを含む。
【０１４３】
[0154]  いくつかの場合では、狭帯域送信帯域幅のシングルＲＢは、ＣＲＳを含まない。いくつかの場合では、狭帯域送信帯域幅内のＰＲＳ送信の周期性は、広帯域ＰＲＳ送信周期性に対して減じられる。いくつかの場合では、ＰＲＳ送信での複数の連続したＤＬサブフレームは、広帯域ＰＲＳ送信に対して増加される。
【０１４４】
[0155]  ＰＲＳコンポーネント１２２０は、識別されたＰＲＳリソースに少なくとも部分的に基づいてＰＲＳを生成し、狭帯域送信帯域幅内のＰＲＳリソースにおいて、ＤＬサブフレームのセットの間の少なくとも１つのＤＬサブフレームにおいてＰＲＳを送信し得る。
【０１４５】
[0156]  トーンホッピングコンポーネント１２２５は、ＰＲＳ送信のためのＤＬサブフレームのシンボルのセットを構成し、トーンホッピング値および各シンボルのシンボルロケーションに少なくとも部分的に基づいて各シンボル内のＰＲＳトーンとしてシングルトーンを、シンボルのセットの各々内で、構成し、シンボルのセットの構成されたトーンにおいてＰＲＳを送信し、第１のシンボルの第１のＰＲＳトーンロケーションおよび第１のトーンホッピング値に少なくとも部分的に基づいて第２のシンボルのための第２のＰＲＳトーンロケーションを構成し、第２のシンボルのための第２のトーンホッピング値を構成し、第２のＰＲＳトーンロケーションおよび第２のトーンホッピング値に少なくとも部分的に基づいて第３のシンボルのための第３のＰＲＳトーンロケーションを構成し得る。いくつかの場合では、各シンボル内でシングルトーンを構成することは、第１のシンボルのための第１のトーンホッピング値を構成することを含む。いくつかの場合では、トーンホッピング値は、ＰＲＳトーンとして構成された連続したシンボル内の異なるトーンを識別する。
【０１４６】
[0157]  タイミングアラインメントコンポーネント１２３０は、ＵＥから第１のＵＬ送信を受信し、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信し、ＵＥから第２のＵＬ送信を受信し、第２のＵＬ送信は、タイミング調整に少なくとも部分的に基づき第１のＣＰ持続時間より少ない第２のＣＰ持続時間を有する第２のＣＰを含む。
【０１４７】
[0158]  ＲＴＤコンポーネント１２３５は、第２のＵＬ送信の受信の時間に少なくとも部分的に基づいてＵＥでの送信に関わるＲＴＤを決定し、２つ以上の他の基地局からＵＥに関連付けされたＲＴＤのセットを受信し得る。
【０１４８】
[0159]  送信機１２４０は、ワイヤレスデバイス１２００の他のコンポーネントから受信された信号を送信し得る。いくつかの例では、送信機１２４０は、トランシーバモジュールにおける受信機とコロケートされ得る。例えば、送信機１２４０は、図１４を参照して説明されたトランシーバ１４２５の態様の例であり得る。送信機１２４０は、単一のアンテナを使用し得るか、それは複数のアンテナを使用し得る。
【０１４９】
[0160]  図１３は、ワイヤレスデバイス１２００、またはワイヤレスデバイス１１００の対応するコンポーネントの例であり得る基地局測位信号マネージャ１３００のブロック図を示す。すなわち、基地局測位信号マネージャ１３００は、図１１および１２を参照して説明された基地局測位信号マネージャ１２１０または基地局測位信号マネージャ１１１０の態様の例であり得る。基地局測位信号マネージャ１３００はさらにまたは代替として、図１４を参照して説明された基地局測位信号マネージャ１４０５の態様の例であり得る。
【０１５０】
[0161]  基地局測位信号マネージャ１３００は、基地局調整コンポーネント１３０５、ＰＲＳ測定コンポーネント１３１０、位置推定コンポーネント１３１５、トーンホッピングコンポーネント１３２０、タイミングアラインメントコンポーネント１３２５、ＲＴＤコンポーネント１３３０、位置決定コンポーネント１３３５、ＮＢリソースコンポーネント１３４０、およびＰＲＳコンポーネント１３４５を含み得る。これらのモジュールの各々は、（例えば１つまたは複数のバスを介して）互いに、直接または間接的に、通信し得る。
【０１５１】
[0162]  基地局調整コンポーネント１３０５は、シングルＲＢの送信の間に１つまたは複数の他の基地局の送信を弱めるために、１つまたは複数の他の基地局に合わせ得る。
【０１５２】
[0163]  ＰＲＳ測定コンポーネント１３１０は、ＵＥからＰＲＳコンポーネントに関連付けされた第１の測定を受信し、ＵＥにおいて受信された１つまたは複数の他のダウンリンクチャネルに関連付けされた第２の測定を受信し得る。いくつかの場合では、１つまたは複数の他のダウンリンクチャネル信号は、ＰＳＳ、ＳＳＳ、ＰＢＣＨ信号またはＳＩＢ信号の１つまたは複数を含む。いくつかの場合では、第２の測定は、ＰＲＳ送信との１つまたは複数の他のダウンリンクチャネル信号の非コヒーレント結合に少なくとも部分的に基づくＰＤＰを含む。いくつかの場合では、第２の測定は、ＰＲＳ測定を結合するときに適用される重み係数（weighting factor）を含み得る。位置推定コンポーネント１３１５は、第１の測定と前記第２の測定とに少なくとも部分的に基づいてＵＥの位置を推定し得る。
【０１５３】
[0164]  トーンホッピングコンポーネント１３２０は、ＰＲＳ送信のためのＤＬサブフレームのシンボルのセットを構成し、トーンホッピング値および各シンボルのシンボルロケーションに少なくとも部分的に基づいて各シンボル内のＰＲＳトーンとしてシングルトーンを、シンボルのセットの各々内で、構成し、シンボルのセットの構成されたトーンにおいてＰＲＳを送信し、第１のシンボルの第１のＰＲＳトーンロケーションおよび第１のトーンホッピング値に少なくとも部分的に基づいて第２のシンボルのための第２のＰＲＳトーンロケーションを構成し、第２のシンボルのための第２のトーンホッピング値を構成し、第２のＰＲＳトーンロケーションおよび第２のトーンホッピング値に少なくとも部分的に基づいて第３のシンボルのための第３のＰＲＳトーンロケーションを構成し得る。
【０１５４】
[0165]  タイミングアラインメントコンポーネント１３２５は、ＵＥから第１のＵＬ送信を受信し、第１のＵＬ送信は、ＵＥのＤＬタイミングにアラインされ第１のＣＰ持続時間を有する第１のＣＰを含む、ＵＥによって第２のＵＬ送信のためのタイミング調整をＵＥに送信し、ＵＥから第２のＵＬ送信を受信し得、第２のＵＬ送信は、タイミング調整に少なくとも部分的に基づき第１のＣＰ持続時間より少ない第２のＣＰ持続時間を有する第２のＣＰを含む。
【０１５５】
[0166]  ＲＴＤコンポーネント１３３０は、第２のＵＬ送信の受信の時間に少なくとも部分的に基づいてＵＥでの送信に関わるＲＴＤを決定し、２つ以上の他の基地局からＵＥに関連付けされたＲＴＤのセットを受信し得る。位置決定コンポーネント１３３５は、２つ以上の他の基地局の既知の位置およびＲＴＤのセットに少なくとも部分的に基づいてＵＥの位置を決定し、ＵＥから１つまたは複数のＰＲＳベースの測定を受信し得、ここにおいてＵＥの位置を決定することはさらにまたは代替として、ＰＲＳベースの測定に少なくとも部分的に基づく。
【０１５６】
[0167]  ＮＢリソースコンポーネント１３４０は、狭帯域送信帯域幅内のＰＲＳリソースであり得る。ＰＲＳコンポーネント１３４５は、識別されたＰＲＳリソースに少なくとも部分的に基づいてＰＲＳを生成し、狭帯域送信帯域幅内のＰＲＳリソースにおいて、ＤＬサブフレームのセットの間の少なくとも１つのＤＬサブフレームにおいてＰＲＳを送信し得る。
【０１５７】
[0168]  図１４は、本開示のさまざまな態様にしたがって狭帯域デバイスのための測位信号をサポートする構成されたデバイスを含むワイヤレスシステム１４００の図を示す。例えば、システム１４００は、基地局１０５−ｆを含み得、それは、図１乃至６および図１１乃至１３を参照して説明されたように、ワイヤレスデバイス１１００、ワイヤレスデバイス１２００または基地局１０５の例であり得る。基地局１０５−ｆは、さらにまたは代替として、通信を送信するためのコンポーネントおよび通信を受信するためのコンポーネントを含む、双方向音声およびデータ通信のためのコンポーネントを含み得る。例えば、基地局１０５−ｆは、１つまたは複数のＵＥ１１５と双方向に通信し得る。
【０１５８】
[0169]  基地局１０５−ｆはさらにまたは代替として、基地局測位信号マネージャ１４０５、メモリ１４１０、プロセッサ１４２０、トランシーバ１４２５、アンテナ１４３０、基地局通信モジュール１４３５およびネットワーク通信モジュール１４４０を含み得る。これらのモジュールの各々は、（例えば１つまたは複数のバスを介して）互いに、直接または間接的に、通信し得る。基地局測位信号マネージャ１４０５は、図１１乃至１３を参照して説明されたような基地局測位信号マネージャの態様の例であり得る。
【０１５９】
[0170]  メモリ１４１０は、ＲＡＭおよびＲＯＭを含み得る。メモリ１４１０は、実行されるとき、プロセッサに、本書に説明されるさまざまな機能（例えば、狭帯域デバイスのための測位信号など）を実施させる命令を含む、コンピュータ可読、コンピュータ実行可能ソフトウェアを記憶し得る。いくつかの場合では、ソフトウェア１４１５は、プロセッサによって直接的に実行可能ではない場合もあるが、（例えば、コンパイルおよび実行されるとき、）コンピュータに、本書に説明されている機能を実施させ得る。プロセッサ１４２０は、インテリジェントハードウェアデバイス（例えば、ＣＰＵ、マイクロコントローラ、ＡＳＩＣなど）を含み得る。
【０１６０】
[0171]  上述されたように、トランシーバ１４２５は、１つまたは複数のアンテナ、有線または無線のリンクを介して、１つまたは複数のネットワークと双方向に通信し得る。例えば、トランシーバ１４２５は、基地局１０５またはＵＥ１１５と双方向に通信し得る。トランシーバ１４２５はさらにまたは代替として、パケットを変調して変調されたパケットを送信のためにアンテナに提供し、アンテナから受信されたパケットを復調するためにモデムを含み得る。いくつかの場合では、ワイヤレスデバイスは、単一のアンテナ１４３０を含み得る。しかしながら、いくつかの場合では、デバイスは、２つ以上のアンテナ１０３０を有し得、それらは、複数のワイヤレス送信を同時に送信または受信することが可能であり得る。
【０１６１】
[0172]  基地局通信モジュール１４３５は、他の基地局１０５との通信を管理し得、他の基地局１０５と協動してＵＥ１１５との通信を制御するためのコントローラまたはスケジューラを含み得る。例えば、基地局通信モジュール１４３５は、ビームフォーミングまたはジョイント送信のようなさまざまな干渉緩和技法のために、ＵＥ１１５への送信のためのスケジューリングを調整し得る。いくつかの例では、基地局通信モジュール−９５は、基地局１０５間の通信を提供するために、ＬＴＥ／ＬＴＥ−Ａワイヤレス通信ネットワーク技術内のＸ２インターフェースを提供し得る。
【０１６２】
[0173]  ネットワーク通信モジュール１４４０は、（例えば、１つまたは複数の有線のバックホールリンクを介して）コアネットワークとの通信を管理し得る。例えば、ネットワーク通信モジュール１４４０は、クライアントデバイス、例えば１つまたは複数のＵＥ１１５、のためのデータ通信の移動を管理し得る。
【０１６３】
[0174]  図１５は、本開示のさまざまな態様にしたがって狭帯域デバイスのための測位信号に関わる方法１５００を例示するフローチャートを示す。方法１５００の動作は、図１乃至６を参照して説明されたようにデバイス、例えば、ＵＥ１１５またはそれのコンポーネントによって、インプリメントされ得る。例えば、方法１５００の動作は、本書に説明されたように測位信号マネージャによって実施され得る。いくつかの例では、ＵＥ１１５は、デバイスの機能的要素を制御して以下に説明される機能を実施するためにコードのセットを実行し得る。さらにまたは代替として、ＵＥ１１５は、専用ハードウェアを使用して以下に説明される機能の態様を実施し得る。
【０１６４】
[0175]  ブロック１５０５において、ＵＥ１１５は、図２乃至６を参照して上述されたように、送信帯域幅内でＰＲＳリソースを識別し得る。いくつかの例では、ブロック１５０５の動作は、図８および図９を参照して説明されたように、ＮＢリソースコンポーネントによって実施され得る。
【０１６５】
[0176]  ブロック１５１０において、ＵＥ１１５は、狭帯域送信帯域幅内のＰＲＳリソースにおいて、図２乃至６を参照して上述されたようにＤＬサブフレームのセットの間の少なくとも１つのＤＬサブフレームにおける１つまたは複数のＰＲＳ送信を、受信し得る。いくつかの例では、ブロック１５１０の動作は、図８および図９を参照して説明されたように、ＮＢ ＰＲＳコンポーネントによって実施され得る。
【０１６６】
[0177]  図１６は、本開示のさまざまな態様にしたがって狭帯域デバイスのための測位信号に関わる方法１６００を例示するフローチャートを示す。方法１６００の動作は、図１乃至６を参照して説明されたようにデバイス、例えば、ＵＥ１１５またはそれのコンポーネントによって、インプリメントされ得る。例えば、方法１６００の動作は、本書に説明されたように測位信号マネージャによって実施され得る。いくつかの例では、ＵＥ１１５は、デバイスの機能的要素を制御して以下に説明される機能を実施するためにコードのセットを実行し得る。さらにまたは代替として、ＵＥ１１５は、専用ハードウェアを使用して以下に説明される機能の態様を実施し得る。
【０１６７】
[0178]  ブロック１６０５において、ＵＥ１１５は、図２乃至６を参照して上述されたように、ＰＲＳリソースを識別し得る。いくつかの例では、ブロック１６０５の動作は、図８および図９を参照して説明されたように、ＮＢリソースコンポーネントによって実施され得る。
【０１６８】
[0179]  ブロック１６１０において、ＵＥ１１５は、図２乃至６を参照して上述されたようなＤＬサブフレームのセットの間の少なくとも１つのＤＬサブフレームにおける１つまたは複数のＰＲＳ送信を、狭帯域送信帯域幅内のＰＲＳリソースにおいて、受信し得る。いくつかの例では、ブロック１６１０の動作は、図８および図９を参照して説明されたように、ＮＢ ＰＲＳコンポーネントによって実施され得る。
【０１６９】
[0180]  ブロック１６１５において、ＵＥ１１５は、図２乃至６を参照して上述されたように、１つまたは複数のダウンリンクチャネルのための狭帯域送信帯域幅内のワイヤレス送信リソースを識別し得る。いくつかの例では、ブロック１６１５の動作は、図８および図９を参照して説明されたように、ダウンリンクチャネルコンポーネントによって実施され得る。
【０１７０】
[0181]  ブロック１６２０において、ＵＥ１１５は、図２乃至６を参照して上述されたように、１つまたは複数の送信機から１つまたは複数のダウンリンク信号を、１つまたは複数のダウンリンクチャネルにおいて、受信し得る。いくつかの例では、ブロック１６２０の動作は、図８および図９を参照して説明されたように、ダウンリンクチャネルコンポーネントによって実施され得る。
【０１７１】
[0182]  ブロック１６２５において、ＵＥ１１５は、図２乃至６を参照して上述されたように、１つまたは複数のＰＲＳベースの測位パラメータに加えて、１つまたは複数の測位パラメータを決定するために１つまたは複数のダウンリンク信号を処理し得る。いくつかの例では、ブロック１６２５の動作は、図８および図９を参照して説明されたように、ダウンリンクチャネルコンポーネントによって実施され得る。
【０１７２】
[0183]  図１７は、本開示のさまざまな態様にしたがって狭帯域デバイスのための測位信号に関わる方法１７００を例示するフローチャートを示す。方法１７００の動作は、図１および２を参照して説明されたようにデバイス、例えば、基地局１０５またはそれのコンポーネントによって、インプリメントされ得る。例えば、方法１７００の動作は、本書に説明されたように基地局測位信号マネージャによって実施され得る。いくつかの例では、基地局１０５は、デバイスの機能的要素を制御して以下に説明される機能を実施するためにコードのセットを実行し得る。さらに、または代替として、基地局１０５は、専用ハードウェアを使用して以下に説明される機能の態様を実施し得る。
【０１７３】
[0184]  ブロック１７０５において、基地局１０５は、図２乃至６を参照して上述されたように、広帯域または狭帯域送信帯域幅内でＰＲＳリソースを識別し得る。いくつかの例では、ブロック１７０５の動作は、図１２および図１３を参照して説明されたように、ＮＢリソースコンポーネントによって実施され得る。
【０１７４】
[0185]  ブロック１７１０において、基地局１０５は、図２乃至６を参照して上述されたように、識別されたＰＲＳリソースに少なくとも部分的に基づいてＰＲＳを生成し得る。いくつかの例では、ブロック１７１０の動作は、図１２および図１３を参照して説明されたように、ＰＲＳコンポーネントによって実施され得る。
【０１７５】
[0186]  ブロック１７１５において、基地局１０５は、広帯域または狭帯域送信帯域幅内のＰＲＳリソースにおいて、図２乃至６を参照して上述されたように、ＤＬサブフレームのセットの間の少なくとも１つのＤＬサブフレームにおけるＰＲＳを、送信し得る。いくつかの例では、ブロック１７１５の動作は、図１２および図１３を参照して説明されたように、ＰＲＳコンポーネントによって実施され得る。
【０１７６】
[0187]  図１８は、本開示のさまざまな態様にしたがって狭帯域デバイスのための測位信号に関わる方法１８００を例示するフローチャートを示す。方法１８００の動作は、図１乃至６を参照して説明されたように、デバイス、例えば、基地局１０５またはそれのコンポーネントによって、インプリメントされ得る。例えば、方法１８００の動作は、本書に説明されたように、基地局測位信号マネージャによって実施され得る。いくつかの例では、基地局１０５は、デバイスの機能的要素を制御して以下に説明される機能を実施するためにコードのセットを実行し得る。さらに、または代替として、基地局１０５は、専用ハードウェアを使用して以下に説明される機能の態様を実施し得る。
【０１７７】
[0188]  ブロック１８０５において、基地局１０５は、図２乃至６を参照して上述されたように、狭帯域送信帯域幅内のＰＲＳリソースを識別し得る。いくつかの例では、ブロック１８０５の動作は、図１２および図１３を参照して説明されたように、ＮＢリソースコンポーネントによって実施され得る。
【０１７８】
[0189]  ブロック１８１０において、基地局１０５は、図２乃至６を参照して上述されたように、識別されたＰＲＳリソースに少なくとも部分的に基づいてＰＲＳを生成し得る。いくつかの例では、ブロック１８１０の動作は、図１２および図１３を参照して説明されたように、ＰＲＳコンポーネントによって実施され得る。
【０１７９】
[0190]  ブロック１８１５において、基地局１０５は、図２乃至６を参照して上述されたように、ＤＬサブフレームのセットの間の少なくとも１つのＤＬサブフレームにおけるＰＲＳを、狭帯域送信帯域幅内のＰＲＳリソースにおいて、送信し得る。いくつかの例では、ブロック１８１５の動作は、図１２および図１３を参照して説明されたように、ＰＲＳコンポーネントによって実施され得る。
【０１８０】
[0191]  ブロック１８２０において、基地局１０５は、図２乃至６を参照して上述されたように、ＵＥからＰＲＳに関連付けされた第１の測定を受信し得る。いくつかの例では、ブロック１８２０の動作は、図１２および図１３を参照して説明されたように、ＰＲＳ測定コンポーネントによって実施され得る。
【０１８１】
[0192]  ブロック１８２５において、基地局１０５は、図２乃至６を参照して上述されたように、ＵＥにおいて受信された１つまたは複数の他のダウンリンクチャネル信号に関連付けされた第２の測定を受信し得る。いくつかの例では、ブロック１８２５の動作は、図１２および図１３を参照して説明されたように、ＰＲＳ測定コンポーネントによって実施され得る。
【０１８２】
[0193]  ブロック１８３０において、基地局１０５は、図２乃至６を参照して上述されたように、第１の測定および第２の測定に少なくとも部分的に基づいてＵＥの位置を推定し得る。いくつかの例では、ブロック１８３０の動作は、図１２および図１３を参照して説明されたように、位置推定コンポーネントによって実施され得る。
【０１８３】
[0194]  図１９は、本開示のさまざまな態様にしたがって狭帯域デバイスのための測位信号に関わる方法１９００を例示するフローチャートを示す。方法１９００の動作は、図１乃至６を参照して説明されたようにデバイス、例えば、ＵＥ１１５またはそれのコンポーネントによって、インプリメントされ得る。例えば、方法１９００の動作は、本書に説明されたように測位信号マネージャによって実施され得る。いくつかの例では、ＵＥ１１５は、デバイスの機能的要素を制御して以下に説明される機能を実施するためにコードのセットを実行し得る。さらにまたは代替として、ＵＥ１１５は、専用ハードウェアを使用して以下に説明される機能の態様を実施し得る。
【０１８４】
[0195]  ブロック１９０５において、ＵＥ１１５は、図２乃至６を参照して上述されたように、ＰＲＳ受信のためのＤＬサブフレームのシンボルのセットを識別し得る。いくつかの例では、ブロック１９０５の動作は、図８および図９を参照して説明されたように、トーンホッピングコンポーネントによって実施され得る。
【０１８５】
[0196]  ブロック１９１０において、ＵＥ１１５は、図２乃至６を参照して上述されたように、トーンホッピング値および各シンボルのシンボルロケーションに少なくとも部分的に基づいてシンボルのセットの２つ以上のシンボルの各々の内のＰＲＳトーンとして構成されるシングルトーンを識別し得る。いくつかの例では、ブロック１９１０の動作は、図８および図９を参照して説明されたように、トーンホッピングコンポーネントによって実施され得る。
【０１８６】
[0197]  ブロック１９１５において、ＵＥ１１５は、図２乃至６を参照して上述されたように、１つまたは複数のＰＲＳ送信を、識別されたＰＲＳトーンにおいて、受信し得る。いくつかの例では、ブロック１９１５の動作は、図８および図９を参照して説明されたように、トーンホッピングコンポーネントによって実施され得る。
【０１８７】
[0198]  図２０は、本開示のさまざまな態様にしたがって狭帯域デバイスのための測位信号に関わる方法２０００を例示するフローチャートを示す。方法２０００の動作は、図１乃至６を参照して説明されたようにデバイス、例えば、基地局１０５またはそれのコンポーネントによって、インプリメントされ得る。例えば、方法２０００の動作は、本書に説明されたように基地局測位信号マネージャによって実施され得る。いくつかの例では、基地局１０５は、デバイスの機能的要素を制御して以下に説明される機能を実施するためにコードのセットを実行し得る。さらに、または代替として、基地局１０５は、専用ハードウェアを使用して以下に説明される機能の態様を実施し得る。
【０１８８】
[0199]  ブロック２００５において、基地局１０５は、図２乃至６を参照して上述されたように、ＰＲＳ送信のためのＤＬサブフレームのシンボルのセットを構成し得る。いくつかの例では、ブロック２００５の動作は、図１２および図１３を参照して説明されたように、トーンホッピングコンポーネントによって実施され得る。
【０１８９】
[0200]  ブロック２０１０において、基地局１０５は、図２乃至６を参照して上述されたようにトーンホッピング値および各シンボルのシンボルロケーションに少なくとも部分的に基づいて各シンボル内のＰＲＳトーンとしてシングルトーンを、シンボルのセットの各々の内で、構成し得る。いくつかの例では、ブロック２０１０の動作は、図１２および図１３を参照して説明されたように、トーンホッピングコンポーネントによって実施され得る。
【０１９０】
[0201]  ブロック２０１５において、基地局１０５は、図２乃至６を参照して上述されたように、シンボルのセットの構成されたトーンにおいてＰＲＳを送信し得る。いくつかの例では、ブロック２０１５の動作は、図１２および図１３を参照して説明されたように、トーンホッピングコンポーネントによって実施され得る。
【０１９１】
[0202]  図２１は、本開示のさまざまな態様にしたがって狭帯域デバイスのための測位信号に関わる方法２１００を例示するフローチャートを示す。方法２１００の動作は、図１乃至６を参照して説明されたようにデバイス、例えば、ＵＥ１１５またはそれのコンポーネントによって、インプリメントされ得る。例えば、方法２１００の動作は、本書に説明されたように測位信号マネージャによって実施され得る。いくつかの例では、ＵＥ１１５は、デバイスの機能的要素を制御して以下に説明される機能を実施するためにコードのセットを実行し得る。さらにまたは代替として、ＵＥ１１５は、専用ハードウェアを使用して以下に説明される機能の態様を実施し得る。
【０１９２】
[0203]  ブロック２１０５において、ＵＥ１１５は、図２乃至６を参照して上述されたように、第１の基地局から１つまたは複数のＤＬ送信を受信し得る。いくつかの例では、ブロック２１０５の動作は、図８および図９を参照して説明されたように、タイミングアラインメントコンポーネントによって実施され得る。
【０１９３】
[0204]  ブロック２１１０において、ＵＥ１１５は、図２乃至６を参照して上述されたように、第１の基地局のための第１のＤＬタイミングを決定し得る。いくつかの例では、ブロック２１１０の動作は、図８および図９を参照して説明されたように、タイミングアラインメントコンポーネントによって実施され得る。
【０１９４】
[0205]  ブロック２１１５において、ＵＥ１１５は、図２乃至６を参照して上述されたように第１のＤＬタイミングにアラインされ第１のＣＰ持続時間を有する第１のＣＰを含む第１のＵＬ送信を送信し得る。いくつかの例では、ブロック２１１５の動作は、図８および図９を参照して説明されたように、タイミングアラインメントコンポーネントによって実施され得る。
【０１９５】
[0206]  ブロック２１２０において、ＵＥ１１５は、図２乃至６を参照して上述されたように、第１の基地局からタイミング調整を受信し得る。いくつかの例では、ブロック２１２０の動作は、図８および図９を参照して説明されたように、タイミングアラインメントコンポーネントによって実施され得る。
【０１９６】
[0207]  ブロック２１２５において、ＵＥ１１５は、第１の基地局に第２のＵＬ送信を送信し得、第２のＵＬ送信は、図２乃至６を参照して上述されたように、タイミング調整に少なくとも部分的に基づき、第１のＣＰ持続時間より少ない第２のＣＰ持続時間を有する第２のＣＰを含む。いくつかの例では、ブロック２１２５の動作は、図８および図９を参照して説明されたように、タイミングアラインメントコンポーネントによって実施され得る。
【０１９７】
[0208]  図２２は、本開示のさまざまな態様にしたがって狭帯域デバイスのための測位信号に関わる方法２２００を例示するフローチャートを示す。方法２２００の動作は、図１乃至６を参照して説明されたようにデバイス、例えば、基地局１０５またはそれのコンポーネントによって、インプリメントされ得る。例えば、方法２２００の動作は、本書に説明されたように基地局測位信号マネージャによって実施され得る。いくつかの例では、基地局１０５は、デバイスの機能的要素を制御して以下に説明される機能を実施するためにコードのセットを実行し得る。さらに、または代替として、基地局１０５は、専用ハードウェアを使用して以下に説明される機能の態様を実施し得る。
【０１９８】
[0209]  ブロック２２０５において、基地局１０５は、ＵＥから第１のＵＬ送信を受信し得、第１のＵＬ送信は、図２乃至６を参照して上述されたようにＵＥのＤＬタイミングにアラインされ第１のＣＰ持続時間を有する第１のＣＰを含む。いくつかの例では、ブロック２２０５の動作は、図１２および図１３を参照して説明されたように、タイミングアラインメントコンポーネントによって実施され得る。
【０１９９】
[0210]  ブロック２２１０において、基地局１０５は、図２乃至６を参照して上述されたように、ＵＥによる第２のＵＬ送信のためのタイミング調整をＵＥに送信し得る。いくつかの例では、ブロック２２１０の動作は、図１２および図１３を参照して説明されたように、タイミングアラインメントコンポーネントによって実施され得る。
【０２００】
[0211］  ブロック２２１５において、基地局１０５は、ＵＥから第２のＵＬ送信を受信し得、第２のＵＬ送信は、図２乃至６を参照して上述されたように、タイミング調整に少なくとも部分的に基づき、第１のＣＰ持続時間より少ない第２のＣＰ持続時間を有する第２のＣＰを含む。いくつかの例では、ブロック２２１５の動作は、図１２および図１３を参照して説明されたように、タイミングアラインメントコンポーネントによって実施され得る。
【０２０１】
[0212]  ブロック２２２０において、基地局１０５は、図２乃至６を参照して上述されたように、第２のＵＬ送信の受信の時間に少なくとも部分的に基づいてＵＥでの送信に関わるＲＴＤを決定し得る。いくつかの例では、ブロック２２２０の動作は、図１２および図１３を参照して説明されたように、ＲＴＤコンポーネントによって実施され得る。
【０２０２】
[0213]  いくつかの例では、図１５、１６、１７、１８、１９、２０、２１または２２を参照して説明されたように、方法１５００、１６００、１７００、１８００、１９００、２０００、２１００または２２００のうちの２つ以上からの態様が組み合され得る。方法１５００、１６００、１７００、１８００、１９００、２０００、２１００または２２００は、単なる例としてのインプリメンテーションであり、方法１５００、１６００、１７００、１８００、１９００、２０００、２１００または２２００の動作は、他のインプリメンテーションが可能になるように、再配置またはそうでない場合は修正され得ることに留意されたい。例えば、方法の各々の態様は、本書に説明される他のステップまたは技術、または他の方法のステップまたは態様を含み得る。かくして、本開示の態様は、狭帯域デバイスのための測位信号を提供し得る。
【０２０３】
[0214]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
【０２０４】
[0215]  本書に説明される機能は、ハードウェア、プロセッサによって実行されるソフトウェア、ファームウェア、またはこれらの任意の組み合わせでインプリメントされ得る。プロセッサによって実行されるソフトウェア中でインプリメントされる場合、機能は、コンピュータ可読媒体で、１つまたは複数の命令またはコードとして記憶または送信され得る。他の例およびインプリメンテーションは、本開示および添付された特許請求の範囲の範囲および精神内にある。例えば、ソフトウェアの性質により、上記に説明された機能は、プロセッサによって実行されるソフトウェア、ハードウェア、ファームウェア、ハードワイヤリング、またはこれらのいずれかの組み合わせを使用してインプリメントされることができる。機能を実現する特徴はまた、さまざまな位置において物理的に配置され得、それは、機能の一部が異なる物理的な位置においてインプリメントされるように分配されることを含む。請求項を含む本書で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含み得る。また、請求項を含む本書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【０２０５】
[0216]  コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または特殊用途コンピュータによってアクセスされることができる任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または伝達するために使用されることができ、汎用または特殊用途コンピュータ、もしくは汎用または特殊用途プロセッサによってアクセスされることができる、任意の他の非一時的な媒体を含むことができる。さらに、または代替として、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせは、さらに、または代替として、コンピュータ可読媒体の範囲内に含まれる。
【０２０６】
[0217]  本書に説明される技術は、ＣＤＭＡ、ＴＤＭＡ、ＦＤＭＡ、ＯＦＤＭＡ、ＳＣ−ＦＤＭＡ、および他のシステムのようなさまざまなワイヤレス通信システムに対して使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）などの無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００ １Ｘ、１Ｘ等と称される。ＩＳ−８５６（ＴＩＡ−８５６）は、一般的に、ＣＤＭＡ２０００ １ｘＥＶ−ＤＯや、高速パケットデータ（ＨＲＰＤ）、等と称される。ＵＴＲＡは、広帯域−ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１、ＩＥＥＥ８０２．１６（ＷｉＭＡＸ）、ＩＥＥＥ８０２．２０、フラッシュＯＦＤＭなどのような無線技術をインプリメントし得る。ＵＴＲＡおよびＥ−ＵＴＲＡは、ユニバーサルモバイルテレコミュニケーションシステム（Universal Mobile Telecommunication System（ＵＭＴＳ））の一部である。３ＧＰＰ（登録商標） ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ）と称される団体からの文書に説明されている。ＣＤＭＡ２０００およびＵＭＢは、「第３世代パートナーシッププロジェクト２」（３ＧＰＰ２）という名称の団体からの文書中に説明されている。本書で説明された技術は、上述されたシステムおよび無線技術ならびに他のシステムおよび無線技術に対して使用され得る。しかしながら、本書での説明は、実例を目的としてＬＴＥシステムを説明しており、ＬＴＥの専門用語が上記の説明の大部分中で使用されているが、本技術は、ＬＴＥアプリケーションを超えて適用可能である。
【０２０７】
[0218]  ＬＴＥ／ＬＴＥ-Aネットワークでは、本書で説明されるネットワークを含めて、発展型ノードＢ（ｅＮＢ）という用語は、基地局を説明するために使用され得る。本書に説明されている１つまたは複数のワイヤレス通信システムは、異なるタイプのｅＮＢがさまざまな地理的領域にカバレッジを提供する異種ＬＴＥ／ＬＴＥ−Ａネットワークを含み得る。例えば、各ｅＮＢまたは基地局は、マクロセル、スモールセル、または他のタイプのセルに通信カバレッジを提供し得る。「セル」という用語は、コンテキストに依存して、基地局、基地局に関連付けられたキャリアまたはコンポーネントキャリア（ＣＣ）、あるいはキャリアまたは基地局のカバレッジエリア（例えば、セクタ、など）を説明するために使用されることができる３ＧＰＰの用語である。
【０２０８】
[0219]  基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の適した専門用語を含み得るか、当業者によってそれらで呼ばれ得る。基地局のための地理的カバレッジエリアは、カバレッジエリアの一部を構成するセクタに分割され得る。本書に説明される１つまたは複数のワイヤレス通信システムは、異なるタイプの基地局（例えば、マクロまたはスモールセルの基地局）を含み得る。本書に説明されるＵＥは、マクロｅＮＢ、スモールセルｅＮＢ、中継基地局などを含むさまざまなタイプの基地局およびネットワーク機器と通信することが可能であり得る。異なる技術に関しては重複している地理的カバレッジエリアが存在し得る。いくつかの場合では、異なるカバレッジエリアは、異なる通信技術に関連付けされ得る。いくつかの場合では、ある通信技術に関わるカバレッジエリアは、別の技術に関連付けされたカバレッジエリアと重複し得る。異なる技術が同じ基地局に関連付けされることもあり、あるいは異なる基地局に関連付けされることもある。
【０２０９】
[0220]  マクロセルは、相対的に広い地理的エリア（たとえば、半径数キロメートル）をカバーし、ネットワークプロバイダにサービス加入しているＵＥによる制限のないアクセスを可能にし得る。スモールセルは、マクロセルと比較すると、マクロセルと同じまたは異なる（例えば、ライセンス、アンライセンスなどの）周波数帯域で動作し得る低電力基地局である。スモールセルは、さまざまな例にしたがったピコセル、フェムトセル、およびマイクロセルを含み得る。例えば、ピコセルは、小さい地理的エリアをカバーし得、ネットワークプロバイダにサービス加入しているＵＥによる無制限アクセスを可能にし得る。フェムトセルは、さらに、または代替として、小さい地理的エリア（例えば、家）をカバーし得、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア（ＣＣ））をサポートし得る。ＵＥは、マクロｅＮＢ、スモールセルｅＮＢ、中継基地局、などを含むさまざまなタイプの基地局およびネットワーク機器と通信することが可能であり得る。
【０２１０】
[0221]  本書に説明される１つまたは複数のワイヤレス通信システムは、同期または非同期動作をサポートし得る。同期動作の場合、基地局は、同様のフレームタイミングを有し得、異なる基地局からの送信は、時間で大まかにアラインされ得る（approximately aligned in time）。非同期動作の場合、基地局は、異なるフレームタイミングを有し得、異なる基地局からの送信は、時間でアラインされないことがあり得る。本書で説明される技術は、同期または非同期動作のいずれかに対して使用され得る。
【０２１１】
[0222]  本書に説明されるＤＬ送信は、さらにまたは代替として、順方向リンク送信と呼ばれ得、一方でＵＬ送信は、さらにまたは代替として、逆方向リンク送信と呼ばれ得る。例えば図１および２のワイヤレス通信システム１００および２００を含む、本書に説明される各通信リンクは、１つまたは複数のキャリアを含み得、各キャリアは、複数のサブキャリア（例えば、異なる周波数の波形信号）から構成される信号であり得る。変調された各信号は、異なるサブキャリア上で送られ得、制御情報（例えば、基準信号、制御チャネルなど）、オーバヘッド情報、ユーザデータなどを搬送し得る。本書に説明される通信リンク（例えば、図１の通信リンク１２５）は、（例えば、ペアのスペクトルリソースを使用する）周波数分割複信（ＦＤＤ）、または（例えば、ペアではないスペクトルリソースを使用する）時分割複信（ＴＤＤ）動作を使用して双方向通信を送信し得る。ＦＤＤに関するフレーム構造（例えば、フレーム構造タイプ１）およびＴＤＤに関するフレーム構造（例えば、フレーム構造タイプ２）が規定され得る。
【０２１２】
[0223]  かくして、本開示の態様は、狭帯域デバイスのための測位信号を提供し得る。これらの方法が、可能なインプリメンテーションを説明しており、方法および動作が、他のインプリメンテーションが可能になるように再配置またはそうでない場合は修正され得ることに留意されたい。いくつかの例では、複数の方法のうちの２つ以上からの態様が組み合わされ得る。
【０２１３】
[0224]  ここでの開示に関連して説明されたさまざまな例示的なブロックおよびモジュールは、汎用プロセッサ、デジタルシグナルプロセッサ（ＤＳＰ）、ＡＳＩＣ、フィールドプログラマブルゲートアレイ（ＦＰＧＡ）または他のプログラマブル論理デバイス、個別ゲートまたはトランジスタロジック、個別ハードウェア構成要素、またはここで説明された機能を実行するように設計されたこれらの任意の組み合わせを用いてインプリメントまたは実施され得る。汎用プロセッサはマイクロプロセッサであり得るが、代替として、プロセッサは任意の従来のプロセッサ、コントローラ、マイクロコントローラ、またはステートマシンであり得る。プロセッサはさらにまたは代替として、（例えば、ＤＳＰとマイクロプロセッサの組み合わせ、複数のマイクロプロセッサ、ＤＳＰコアに連結した１つまたは複数のマイクロプロセッサ、または他の任意のそのような構成といった、）コンピューティングデバイスの組み合わせとしてインプリメントされ得る。かくして、本書に説明される機能は、少なくとも１つの集積回路（ＩＣ）上で、１つまたは複数の他の処理ユニット（またはコア）によって実施され得る。さまざまな例では、異なるタイプのＩＣ（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はさらに、または代替として、１つまたは複数の汎用または特定用途向けのプロセッサによって実行されるようにフォーマット化された、メモリにおいて具現化される命令で、全体的にまたは部分的にインプリメントされ得る。
【図１】
2019505145.tif 000003
【図２】
2019505145.tif 000004
【図３】
2019505145.tif 000005
【図４Ａ】
2019505145.tif 000006
【図４Ｂ】
2019505145.tif 000007
【図５】
2019505145.tif 000008
【図６】
2019505145.tif 000009
【図７】
2019505145.tif 000010
【図８】
2019505145.tif 000011
【図９】
2019505145.tif 000012
【図１０】
2019505145.tif 000013
【図１１】
2019505145.tif 000014
【図１２】
2019505145.tif 000015
【図１３】
2019505145.tif 000016
【図１４】
2019505145.tif 000017
【図１５】
2019505145.tif 000018
【図１６】
2019505145.tif 000019
【図１７】
2019505145.tif 000020
【図１８】
2019505145.tif 000021
【図１９】
2019505145.tif 000022
【図２０】
2019505145.tif 000023
【図２１】
2019505145.tif 000024
【図２２】
2019505145.tif 000025
【国際調査報告】
2019505145.tif 000026
2019505145.tif 000027
2019505145.tif 000028
2019505145.tif 000029
2019505145.tif 000030
2019505145.tif 000031